(57)【要約】  ノーマディック移動サービス車両をサポートするための方法および当該方法を実装するためのシステムが提供されている。方法は、第１の車両によってサーバへ、販売促進要求であって、第１の車両の場所を指定する販売促進要求を送信することを含む。さらに方法は、第１の車両の場所の基準距離内における環境の環境属性を取得することと、販売促進要求内に指定されている条件を抽出することと、を含む。また方法は、第３の車両へ、販売促進要求を、履行のために送信することと、あらかじめ決定済みの距離範囲内における販売促進経路を決定することと、第３の車両によって、販売促進経路に沿った移動の間に販売促進動作を実行することと、も含む。【選択図】図１
2021527866.tif 000002
【特許請求の範囲】
【請求項１】
複数の車両を使用してノーマディック移動サービス車両をサポートするための方法であって、
第１の車両によってサーバへ、販売促進要求であって、前記第１の車両の場所を指定する前記販売促進要求を送信することと、
１つまたは複数の第２の車両によって、前記第１の車両の前記場所の基準距離内における環境の環境属性を取得し、かつ前記サーバへ送信することと、
前記サーバによって、前記販売促進要求内に指定されている条件を抽出することと、
前記サーバによって第３の車両へ、前記販売促進要求を、履行のために送信することと、
前記サーバによって、前記販売促進要求内に指定されている前記条件に基づいて、前記販売促進要求の距離範囲を決定することと、
前記第３の車両によって、前記距離範囲内における販売促進経路を決定することと、
前記第３の車両によって、前記販売促進経路に沿った移動の間に販売促進動作を実行することと、
を包含する、
方法。
【請求項２】
さらに、
前記サーバによって、前記販売促進要求内に指定されている前記条件および前記第３の車両の１つまたは複数の属性に基づいて、前記販売促進要求と前記サーバに登録されている複数の第３の車両とのマッチングを行うことと、
前記サーバによって前記マッチングした第３の車両へ、前記販売促進要求を、受諾のために送信することと、
前記販売促進要求を受信している前記第３の車両のうちの少なくとも１つから、前記販売促進要求の履行の受諾を受信することと、
前記サーバによって、前記受諾している第３の車両の中から、前記販売促進動作の実行のための前記第３の車両を選択することと、
を包含する、
請求項１に記載の方法。
【請求項３】
前記販売促進動作は、前記第３の車両上に備えられた１つまたは複数のアクチュエータを使用して実行される、
請求項１に記載の方法。
【請求項４】
前記１つまたは複数のアクチュエータは、外部ディスプレイ、ヘッドライト、ドア、ウインドウ、スポイラ、およびオーディオ・システムのうちの少なくとも１つを含む、
請求項３に記載の方法。
【請求項５】
前記条件は、少なくとも、前記販売促進動作を実行しているときの前記第３の車両の移動速度を指定する、
請求項１に記載の方法。
【請求項６】
前記販売促進経路は、前記１つまたは複数の環境属性に基づいて決定される、
請求項１に記載の方法。
【請求項７】
前記販売促進経路が、前記販売促進経路に沿った一時的な停車を含む、
請求項１に記載の方法。
【請求項８】
前記一時的な停車は、基準値を超える人々の数を有するとして前記販売促進経路に沿って検出された場所に対応する、
請求項１に記載の方法。
【請求項９】
前記一時的な停車の持続期間は、前記人々の反応であって、前記第３の車両へ向けられた視線方向を含む前記反応に基づく、
請求項１に記載の方法。
【請求項１０】
前記１つまたは複数の環境属性は、人々の数／密度、交通レベルまたは混雑のレベル、ほかの移動サービスの数、イベントの存在、またはほかの車両の数を含む、
請求項１に記載の方法。
【請求項１１】
さらに、
前記販売促進経路に沿って前記第３の車両が移動する間における前記第１の車両の移動を決定することと、
前記第１の車両の新しく意図される場所を決定することと、
前記新しく意図される場所までの前記第１の車両の移動経路を決定することと、
前記第３の車両によって、前記販売促進経路を前記第１の車両の前記移動経路に関して修正することと、
前記第３の車両によって、前記販売促進動作を実行しつつ、前記修正後の販売促進経路に沿って移動することと、
を包含する、
請求項１に記載の方法。
【請求項１２】
前記第３の車両の前記修正後の販売促進経路と、前記第１の車両の前記移動経路は同じである、
請求項１１に記載の方法。
【請求項１３】
前記第３の車両の前記修正後の販売促進経路と、前記第１の車両の前記移動経路は異なる、
請求項１１に記載の方法。
【請求項１４】
前記販売促進動作は、前記第１の車両の前記場所を示す、
請求項１に記載の方法。
【請求項１５】
さらに、
前記第３の車両から、前記販売促進動作の完了の通知を受信することと、
前記サーバによって、履行の証拠が収集されることになっているか否かを決定することと、
前記履行の証拠が収集されることになっていると決定された場合には、前記サーバによって、前記履行の証拠を収集するべく構成されたアクチュエータが装備された証拠収集車両を識別することと、
前記サーバによって、前記履行の証拠の収集のための前記証拠収集車両を展開することと、
を包含する、
請求項１に記載の方法。
【請求項１６】
前記証拠収集車両は、前記第３の車両である、
請求項１５に記載の方法。
【請求項１７】
前記証拠収集車両は、無人飛翔デバイスである、
請求項１５に記載の方法。
【請求項１８】
さらに、
前記サーバによって、前記履行の証拠が容認可能であるか否かを決定することと、
前記履行の証拠が容認可能であると決定されたとき、前記サーバによって前記第３の車両のための報酬を決定することと、
前記第３の車両へ、前記決定された報酬を送信することと、
を包含する、
請求項１５に記載の方法。
【請求項１９】
コンピュータ・プログラムをストアしている非一過性のコンピュータ可読ストレージ媒体であって、前記コンピュータ・プログラムは、プロセッサによる実行時に、ノーマディック移動サービス車両をサポートするためのプロセスをコンピュータ装置に実施させ、前記プロセスが、
第１の車両によってサーバへ、販売促進要求であって、前記第１の車両の場所を指定する前記販売促進要求を送信することと、
１つまたは複数の第２の車両によって、前記第１の車両の前記場所の基準距離内における環境の環境属性を取得し、かつ前記サーバへ送信することと、
前記サーバによって、前記販売促進要求内に指定されている条件を抽出することと、
前記サーバによって第３の車両へ、前記販売促進要求を、履行のために送信することと、
前記サーバによって、前記販売促進要求内に指定されている前記条件に基づいて、前記販売促進要求の距離範囲を決定することと、
前記第３の車両によって、前記距離範囲内における販売促進経路を決定することと、
前記第３の車両によって、前記販売促進経路に沿った移動の間に販売促進動作を実行することと、
を包含する、
非一過性のコンピュータ可読ストレージ媒体。
【請求項２０】
ノーマディック移動サービス車両をサポートするためのコンピュータ装置であって、
インストラクションをストアしているメモリと、
前記インストラクションを実行するプロセッサと、
を包含し、
前記プロセッサによって実行されたとき、前記インストラクションが前記プロセッサに、
第１の車両によってサーバへ、販売促進要求であって、前記第１の車両の場所を指定する前記販売促進要求を送信することと、
１つまたは複数の第２の車両によって、前記第１の車両の前記場所の基準距離内における環境の環境属性を取得し、かつ前記サーバへ送信することと、
前記サーバによって、前記販売促進要求内に指定されている条件を抽出することと、
前記サーバによって第３の車両へ、前記販売促進要求を、履行のために送信することと、
前記サーバによって、前記販売促進要求内に指定されている前記条件に基づいて、前記販売促進要求の距離範囲を決定することと、
前記第３の車両によって、前記距離範囲内における販売促進経路を決定することと、
前記第３の車両によって、前記販売促進経路に沿った移動の間に販売促進動作を実行することと、
を包含する動作を実施させる、
コンピュータ装置。
【発明の詳細な説明】
【技術分野】
【０００１】
この開示は、移動ビジネスを促進するノーマディック車両のための１つまたは複数の車両によるアドホックな販売促進実施を容易にする車両の利用に関する。
【背景技術】
【０００２】
自動運転車両が、街路にいる人間のハンド・ジェスチャ信号を解釈することがますます可能になり、このことは、たとえば自律タクシー・サービスの呼び止めのために有用である。車両は、歩行者とインタラクションするために、ディスプレイ、ライト、スピーカ、および路面投影機等を使用し、その見掛けを変化させる多様な方法を有することになるであろう。将来的な移動性のサービスの範囲には、「コンチネンタルのフィール・グッド・コクーン」等のブランドを配した見掛けによって差別化できる移動サービス・プラットフォーム、ロボマート（ＲｏｂｏＭａｒｔｓ）等の、セルフ調理キッチン・カーおよびタクシー・サービスが企図される。
【０００３】
たとえば、バスまたはタクシーの移動広告看板は、通常、静的な画像または固定されたアニメーション／ムービーを表示しており、表示されている広告の、いくつかの車両の間における調和は皆無であり、広告の場所依存性がまったくないか、または限定されており、近隣のサービス供給／ユーザ需要／そのほかの環境的な影響（たとえば、街路が混んでいるか否か、街路の雰囲気）の状況にまったく適応せず、関心を示しているか、または広告を追求したいと欲しているユーザに対してフィードバックをまったく与えることなく、購入等のユーザのアクションの追跡もまったくない。
【０００４】
応答性の屋外広告板の拡張された広告は、環境、たとえばユーザのアクションに対して応答する広告を作り出すために利用可能なセンサを有していることがある。しかしながら、その種の広告システムは、いくつかの問題を抱えている。たとえば、屋外広告板の広告は、それらが静的であることから関心または需要のある場所に存在していることがありがちでないと見られる。また、屋外広告板の広告は、それらが場所ではなく、販売促進のタイミングのみをコントロール可能であることから、ユーザのアクション（眺めているか、または歩いている方向等）に対して応答する能力に限界を有する。さらに、屋外広告板の広告は、近隣の移動サービスの販売促進要求に対するリアルタイム応答をまったく有していない。屋外広告板の広告は、また、それらが限界のある画像表示能力／分析ソフトウエアを有していることがありがちであり、しかもただ１つの静的な場所から利用可能であることから、販売促進に対するユーザの反応を検出する能力に限界を有すると見られる。最後は、屋外広告板の広告が、広告の実際の効果のための、たとえば広告が購入を導いた場合の報酬システムにも欠いていることである。
【０００５】
インターネット対応モバイル・フォン・アプリケーションは、近隣のサービスについてのリアルタイム情報の受信に使用することが可能である。しかしながら、それらはユーザが使用を選択したときにのみ機能し、ユーザが具体的なウェブ・サイトを知っていること、またはサービス・アプリケーションを有することを必要とし、かつ概してユーザが能動的に検索することを必要とするが、これがユーザにとって便利でないことがあり、あるいは、たとえばユーザがサービスを認識しない場合（比較的知られていない局地的なサービス）には、オファーされるサービスにとっても望ましくない可能性がある。
【発明の概要】
【発明が解決しようとする課題】
【０００６】
製品またはサービスの調和の取れた販売促進を少なくとも２つの車両の間において実行し、その後、その販売促進に対する応答におけるユーザの関心を示す、オプションとして支払い／購入を含む、アクションの証拠（歩行者の注意の測定、ジェスチャ信号の検出）を収集するシステムおよび方法。調和の取れた販売促進は、検出された事象またはそのほかの環境属性に応答することができる。
【０００７】
このことは、移動サービス車両が、ほかの車両と協働して街路にいる人々がサービスに気付く尤度を高めること、および近隣の場所からサービスを注文しようとする人々を助けることを可能にするであろう。
【０００８】
車両は、調和の取れた販売促進に対する貢献に対して報酬を受け取ることができ、その種の貢献は、たとえば、広告の表示、照会、データの収集、移動ビジネスとユーザの引き合わせの支援、または購入の促進である。
【課題を解決するための手段】
【０００９】
この開示の多様な側面によれば、販売促進要求の創出および履行のための方法が開示される。この方法は、第１の車両が移動サービスを提供することによって販売促進要求を創出し、その種の要求を第２の車両に通信することと、販売促進要求の条件が満たされるか否かを第２の車両が決定することと、を含む。この開示の側面は、さらに、第２の車両が、第１の車両によって設定された条件のセットに従って要求された販売促進を実行するためのシステムおよび方法を開示しており、それにおいて第２の車両は、実行される販売促進に対する応答におけるユーザのアクションの証拠を収集する。
【００１０】
さらに、この開示の別の側面によれば、さらにその方法が、第１の車両によって提供される移動サービスをユーザがどの程度使用するかを決定することと、ユーザのアクションが購入、支払い、またはそのほかの、移動サービスを提供している第１の車両との望ましいインタラクションを導いた場合に、そのユーザのアクションの証拠を収集したことに対して第２の車両に報酬を与えることと、を開示する。
【００１１】
この開示の側面によれば、サービスをオファーする車両とそのサービスを販売促進するほかの車両との間における、移動サービスの販売促進に対する調和の取れたアクションを提供することができる。さらに、場所の有効範囲／移動サービスを提供する車両の露出範囲を、拡張することができる。また、たとえば、サービスの引き渡しを向上させるべく、またユーザが近隣の場所からサービスを注文することを可能にするべく、移動サービスの販売促進に対するユーザの応答を取り込むこともできる。それに加えて、多様な能力を使用して要求された販売促進を実行する車両に報酬を与えることもできる。
【図面の簡単な説明】
【００１２】
【図１】この開示の側面に従った例示的な汎用コンピュータ・システムを示したブロック図である。
【図２】この開示の側面に従った、販売促進要求を生成し、かつ履行するための例示的なネットワーク環境を示したブロック図である。
【図３】この開示の側面に従った、販売促進要求を生成し、かつ履行するための例示的なシステム環境を示したブロック図である。
【図４Ａ】この開示の側面に従った、多様な車両を使用する販売促進要求を生成し、かつ履行するための例示的な方法を示したフローチャートである。
【図４Ｂ】この開示の側面に従った、多様な車両を使用する販売促進要求を生成し、かつ履行するための例示的な方法を示したフローチャートである。
【図５】この開示の側面に従った、サービス・オファー車両の位置決めに関して販売促進経路を決定するための方法を図解したフローチャートである。
【図６】この開示の側面に従った、販売促進車両に対して販売促進要求をマッチングするための方法を示したフローチャートである。
【図７】この開示の側面に従った、展開のために証拠収集デバイスを識別するための方法を示したフローチャートである。
【発明を実施するための形態】
【００１３】
以上を鑑み、この開示は、それの多様な側面、実施態様および／または具体的な特徴または下位構成要素のうちの１つまたは複数を通じて、以下に具体的に記すとおりの利点のうちの１つまたは複数をもたらすことが、したがって意図される。
【００１４】
この開示の実施態様および／または具体的な特徴または下位構成要素は、それの多様な側面のうちの１つまたは複数を通じて、具体的に上で述べ、かつ以下に記すとおりの利点のうちの１つまたは複数をもたらすことが意図される。
【００１５】
またこれらの例は、例を用いてここに記述し、かつ図解しているとおりのこのテクノロジの１つまたは複数の側面のためにインストラクションがストアされた１つまたは複数の非一過性のコンピュータ可読媒体としても具体化され得る。いくつかの例におけるインストラクションは、１つまたは複数のプロセッサによって実行されたときに、そのプロセッサに、ここに記述し、かつ図解しているこのテクノロジの例の方法を実装するに必要なステップを実行させる実行可能コードを含む。
【００１６】
この開示の分野において伝統的であるとおり、例に挙げる実施態様は、機能ブロック、ユニット、および／またはモジュールの観点から見て記述され、かつ図面の中で図解される。この分野における当業者は認識することになろうが、これらのブロック、ユニット、および／またはモジュールは、ロジック回路、個別部品、マイクロプロセッサ、ハードワイヤード回路、メモリ要素、有線接続、およびこれらの類といった電子（または、光学）回路によって物理的に実装され、それらは、半導体ベースの二次加工テクニックまたはそのほかの製造テクノロジを使用して形成され得る。マイクロプロセッサまたはその類によって実装されるブロック、ユニット、および／またはモジュールの場合においては、それらを、ここで論じている多様な機能を実施するべくソフトウエア（たとえば、マイクロコード）を使用してプログラムすることができ、かつオプションとしてファームウエアおよび／またはソフトウエアによって駆動することができる。それに代えて、各ブロック、ユニット、および／またはモジュールを、専用ハードウエアによって、またはいくつかの機能を実施する専用ハードウエアと、ほかの機能を実施するプロセッサ（たとえば、１つまたは複数のプログラム済みマイクロプロセッサおよび関連回路）との組み合わせとして実装することができる。また、例に挙げる実施態様の各ブロック、ユニット、および／またはモジュールを、本発明概念の範囲からの逸脱を伴うことなく、２つまたはそれより多くの相互作用する離散的なブロック、ユニット、および／またはモジュールに物理的に分割することもできる。さらに、例に挙げる実施態様のブロック、ユニット、および／またはモジュールは、この開示の範囲からの逸脱を伴うことなく、より複雑なブロック、ユニット、および／またはモジュールに物理的に組み合わせることができる。
【００１７】
ここに記述されている方法は説明的な例であり、それ故、いずれかの実施態様のいずれかの特定のプロセスが、提示されている順序において実施されることを必要とするか、またはそれを暗示するという意図はない。単語『それの後』、『その後』、『次に』等には、プロセスの順序を限定する意図はなく、それに代えてこれらの単語は、方法の説明を通して読者を案内するべく使用されている。さらに、数量的な指定のない請求項の要素のあらゆる参照、たとえば『ある・・・』または『その・・・』の使用は、その要素が単数であることを限定するとして解釈されないものとする。
【００１８】
図１は、ここに記述されている実施態様に従って使用するための例示的なコンピュータ・システムである。システム１００は、一般的に示したものであり、これも一般的な形で示したコンピュータ・システム１０２を含むことができる。
【００１９】
コンピュータ・システム１０２は、ここに開示している方法またはコンピュータ・ベースの機能のうちのいずれか１つまたは複数を、コンピュータ・システム１０２に単独で、または記述されているほかのデバイスとの組み合わせで実施させるべく実行することが可能なインストラクションのセットを含むことができる。コンピュータ・システム１０２は、スタンドアロン・デバイスとして動作することができるか、またはほかのシステムまたは周辺デバイスに接続されることがある。たとえば、コンピュータ・システム１０２は、任意の１つまたは複数のコンピュータ、サーバ、システム、通信ネットワーク、またはクラウド環境を含むか、あるいはそれらの中に含まれることがある。さらに、インストラクションが、その種のクラウド・ベースのコンピューティング環境内において機能することができる。
【００２０】
ネットワークされた展開においては、コンピュータ・システム１０２が、サーバのキャパシティ内において、またはサーバ・クライアント・ユーザ・ネットワーク環境内のクライアント・ユーザ・コンピュータとして、クラウド・コンピューティング環境内のクライアント・ユーザ・コンピュータとして、またはピア・トゥ・ピア（または分散型）ネットワーク環境内のピア・コンピュータ・システムとして動作することができる。コンピュータ・システム１０２またはそれの部分は、パーソナル・コンピュータ、タブレット・コンピュータ、セットトップ・ボックス、パーソナル・デジタル・アシスタント、モバイル・デバイス、パームトップ・コンピュータ、ラップトップ・コンピュータ、デスクトップ・コンピュータ、通信デバイス、無線スマートフォン、パーソナル・トラステッド・デバイス、ウェアラブル・デバイス、グローバル・ポジショニング・サテライト（ＧＰＳ）デバイス、ウェブ機器、または任意のそのほかの、そのマシンによってとられることになるアクションを指定するインストラクションのセットを（シーケンシャルに、またはそのほかの形で）実行する能力のあるマシンといった、多様なデバイスとして実装するか、またはその中に組み込むことができる。さらに、ここでは単一のコンピュータ・システム１０２が図解されているが、追加の実施態様は、個別に、または連帯的にインストラクションを実行するか、または機能を実施するシステムまたはサブシステムの任意の集合を含むことができる。この用語『システム』は、この開示全体を通じて、個別に、または連帯的に、インストラクションのセットまたは複数セットを実行して１つまたは複数のコンピュータ機能を実施するシステムまたはサブシステムの任意の集合を含むと解釈されるものとする。
【００２１】
図１に図解されているとおり、コンピュータ・システム１０２は、少なくとも１つのプロセッサ１０４を含むことができる。プロセッサ１０４は、有体物であり、かつ非一過性である。ここで使用するときの『非一過性』という用語は、状態の永久的な特質としてではなく、むしろある時間期間にわたって存続する状態の特質として解釈されるものとする。用語『非一過性』は、特に、特定の搬送波または信号またはそのほかの、任意の場所において随時、一過的にのみ存在する形式の特質等の束の間の特質を否定する。プロセッサ１０４は、製品および／またはマシンの構成要素である。プロセッサ１０４は、この中の多様な実施態様に記述されているとおりの機能を実施するために、ソフトウエア・インストラクションを実行するべく構成される。プロセッサ１０４は、汎用プロセッサとすることができるか、または特定用途向け集積回路（ＡＳＩＣ）の部分とすることができる。また、プロセッサ１０４は、マイクロプロセッサ、マイクロコンピュータ、プロセッサ・チップ、コントローラ、マイクロコントローラ、デジタル信号プロセッサ（ＤＳＰ）、状態マシン、またはプログラマブル・ロジック・デバイスとすることもできる。プロセッサ１０４はまた、フィールド・プログラマブル・ゲート・アレイ（ＦＰＧＡ）等のプログラマブル・ゲート・アレイ（ＰＧＡ）を含むロジック回路、または離散的なゲートおよび／またはトランジスタ・ロジックを含む別のタイプの回路とすることもできる。プロセッサ１０４は、中央処理ユニット（ＣＰＵ）、グラフィック処理ユニット（ＧＰＵ）、またはそれらの両方とすることができる。それに加えて、ここに記述されている任意のプロセッサは、マルチ・プロセッサ、並列プロセッサ、またはその両方を含むことができる。マルチ・プロセッサは、単一のデバイスまたは複数のデバイス内に含めること、または結合することができる。
【００２２】
また、コンピュータ・システム１０２は、コンピュータ・メモリ１０６も含むことができる。コンピュータ・メモリ１０６は、静的メモリ、動的メモリ、または通信関係にあるそれら両方を含むことができる。ここに記述されているメモリは、データおよび実行可能インストラクションをストアすることが可能な有体物のストレージ媒体であり、かつそれらの中にインストラクションがストアされている時間にわたって非一過性である。この場合においても、ここで使用するときの『非一過性』という用語は、状態の永久的な特質としてではなく、むしろある時間期間にわたって存続する状態の特質として解釈されるものとする。用語『非一過性』は、特に、特定の搬送波または信号またはそのほかの、任意の場所において随時、一過的にのみ存在する形式の特質等の束の間の特質を否定する。メモリは、製品および／またはマシンの構成要素である。ここに記述されているメモリは、コンピュータ可読媒体であり、そこからデータおよび実行可能インストラクションをコンピュータが読み出すことが可能である。ここに記述されているメモリは、ランダム・アクセス・メモリ（ＲＡＭ）、読出し専用メモリ（ＲＯＭ）、フラッシュ・メモリ、電気的プログラマブル読出し専用メモリ（ＥＰＲＯＭ）、電気的消去可能プログラマブル読出し専用メモリ（ＥＥＰＲＯＭ）、レジスタ、ハードディスク、キャッシュ、リムーバブル・ディスク、テープ、コンパクト・ディスク読出し専用メモリ（ＣＤ−ＲＯＭ）、デジタル・バーサタイル・ディスク（ＤＶＤ）、フロッピーディスク、ブルーレイ・ディスク、またはこのほかの任意の形式のこの分野で周知のストレージ媒体とすることができる。メモリは、揮発性または不揮発性、セキュアおよび／または暗号化、非セキュアおよび／または非暗号化とすることができる。当然のことながら、コンピュータ・メモリ１０６は、メモリの任意の組み合わせまたは単一ストレージを包含することができる。
【００２３】
コンピュータ・システム１０２は、さらに、ビデオ・ディスプレイ１０８、例えば液晶ディスプレイ（ＬＣＤ）、有機発光ダイオード（ＯＬＥＤ）、フラット・パネル・ディスプレイ、ソリッド・ステート・ディスプレイ、陰極線管（ＣＲＴ）、プラズマ・ディスプレイ等、またはこのほかの任意の周知のディスプレイを含むことができる。
【００２４】
また、コンピュータ・システム１０２は、キーボード、タッチ感応入力スクリーンまたはパッド、音声入力、マウス、無線キーパッド付きのリモート・コントロール・デバイス、音声認識エンジンに結合されたマイクロフォン、ビデオ・カメラまたはスチール・カメラ等のカメラ、カーソル・コントロール・デバイス、グローバル・ポジショニング・システム（ＧＰＳ）デバイス、高度計、ジャイロスコープ、加速度計、近接センサ、またはこれらの任意の組み合わせといった少なくとも１つの入力デバイス１１０も含むことができる。この分野における当業者は、コンピュータ・システム１０２の多様な実施態様が、複数の入力デバイス１１０を含み得ることを認識するものとする。それに加えて、この分野における当業者は、さらに、上にリストされている例示的な入力デバイス１１０が網羅的である旨は意味されていないこと、およびコンピュータ・システム１０２が、任意の追加の、または代替入力デバイス１１０を含み得ることを認識するものとする。
【００２５】
コンピュータ・システム１０２は、また、インストラクションの任意の１つまたは複数のセット、たとえばソフトウエアを、ここに記述されているメモリのいずれかから読み出すべく構成された媒体リーダ１１２も含むことができる。インストラクションは、プロセッサによって実行されるとき、ここに記述されている方法およびプロセスのうちの１つまたは複数を実施するために使用することが可能である。特定の実施態様においては、インストラクションが、コンピュータ・システム１０２による実行の間にわたって完全に、または少なくとも部分的にメモリ１０６、媒体リーダ１１２、および／またはプロセッサ１１０内に常駐することができる。
【００２６】
さらにまた、コンピュータ・システム１０２は、限定ではないが、ネットワーク・インターフェース１１４、出力デバイス１１６等の、コンピュータ・システムに、またはそれの中に含められるとして一般に知られており、かつ理解されている任意の追加のデバイス、構成要素、部品、周辺装置、ハードウエア、ソフトウエア、またはこれらの任意の組み合わせを含むことができる。出力デバイス１１６は、限定ではないが、スピーカ、オーディオ出力、ビデオ出力、リモート・コントロール出力、プリンタ、またはこれらの任意の組み合わせとすることができる。
【００２７】
コンピュータ・システム１０２の構成要素のそれぞれは、バス１１８またはそのほかの通信リンクを介して相互接続されて通信することができる。図１に示されているとおり、これらの構成要素は、それぞれ、内部バスを介して相互接続されて通信することができる。しかしながら、この分野における当業者は、これらの構成要素のいずれもが拡張バスを介して接続され得ることを認識するものとする。それに加えて、バス１１８は、限定ではないが、ＰＣＩ（周辺装置相互接続）、ＰＣＩ（周辺装置相互接続）エクスプレス、パラレルＡＴＡ（アドバンスド・テクノロジー・アタッチメント）、シリアルＡＴＡ（アドバンスド・テクノロジー・アタッチメント）等の一般に知られており、かつ理解されている任意の標準またはそのほかの仕様を介した通信をイネーブルすることができる。
【００２８】
コンピュータ・システム１０２は、ネットワーク１２２を介して１つまたは複数の追加のコンピュータ・デバイス１２０と通信することができる。ネットワーク１２２は、限定ではないが、ローカル・エリア・ネットワーク、ワイド・エリア・ネットワーク、インターネット、電話ネットワーク、短距離ネットワーク、またはそのほかの任意の、この分野において一般に知られており、かつ理解されているネットワークとすることができる。短距離ネットワークは、たとえば、ブルートゥース、ジグビー、赤外線、ＮＦＣ（近距離無線通信）、超広帯域無線、またはこれらの任意の組み合わせを含むことができる。この分野における当業者は、周知でありかつ理解されている追加のネットワーク１２２が、追加として、または代わりとして使用され得ること、および例示的なネットワーク１２２が限定でないこと、または網羅的でないことを認識するものとする。また、図１においては、ネットワーク１２２が無線ネットワークとして示されているが、この分野における当業者は、ネットワーク１２２を有線ネットワークとし得ることを認識するものとする。
【００２９】
図１においては、追加のコンピュータ・デバイス１２０がパーソナル・コンピュータとして示されている。しかしながら、この分野における当業者は、この開示の代替実施態様において、コンピュータ・デバイス１２０を、ラップトップ・コンピュータ、タブレットＰＣ、パーソナル・デジタル・アシスタント、モバイル・デバイス、パームトップ・コンピュータ、デスクトップ・コンピュータ、通信デバイス、無線電話、パーソナル・トラステッド・デバイス、ウェブ機器、サーバ、または任意のそのほかの、そのデバイスによってとられることになるアクションを指定するインストラクションのセットを、シーケンシャルに、またはそのほかの形で実行する能力のあるデバイスとし得ることを認識するものとする。当然のことながら、この分野における当業者は、上にリストされているデバイスが、単なる例示的なデバイスに過ぎず、デバイス１２０を、この開示の範囲からの逸脱を伴うことなく、この分野において一般に知られており、かつ理解されている任意の追加のデバイスまたは装置とし得ることを認識するものとする。たとえば、コンピュータ・デバイス１２０は、コンピュータ・システム１０２と同一または類似とすることができる。さらにまた、この分野における当業者は、このデバイスを、デバイスおよび装置の任意の組み合わせとし得ることを同様に理解するものとする。
【００３０】
当然のことながら、この分野における当業者は、上にリストされているコンピュータ・システム１０２の構成要素が、単に例示的である旨を意味していること、および網羅的であるか、かつ／または包括的であるとの意図ではないことを認識するものとする。さらにまた、上にリストされている構成要素の例もまた例示的である旨を意味しており、同様に、網羅的および／または包括的であるとの意味ではない。
【００３１】
この開示の多様な実施態様に従って、ここに記述されている方法を、ソフトウエア・プログラムを実行するハードウエア・コンピュータ・システムを使用して実装することができる。さらに、例示的かつ非限定的な実施態様においては、分散処理、要素／オブジェクト分散処理、および並列処理を実装に含めることが可能である。仮想コンピュータ・システム処理を、ここに記述されているとおりの方法または機能のうちの１つまたは複数を実装するべく構築することが可能であり、この中に述べられているプロセッサを使用して仮想処理環境をサポートすることができる。
【００３２】
図２は、この開示の側面に従った、販売促進要求を生成し、かつ履行するための例示的なネットワーク環境を示す。
【００３３】
図２を参照すると、アクション要求を生成し、かつ履行するための例示的なネットワーク環境の概略が図解されている。例示的な実施態様においては、アクション要求の生成／履行フレームワークが、ネットワークされたコンピュータ・プラットフォーム上で実行可能である。
【００３４】
図２のネットワーク環境においては、複数のサービス・オファー車両２１０（１）−２１０（Ｎ）、複数の販売促進車両２２０（１）−２２０（Ｎ）、複数のサーバ・デバイス２３０（１）−２３０（Ｎ）、および複数の証拠収集デバイス／車両２４０（１）−２４０（Ｎ）が、通信ネットワーク（１つまたは複数）２５０を介して通信することができる。
【００３５】
図１のコンピュータ・システム１０２のネットワーク・インターフェース１１４等のサービス・オファー車両の通信インターフェースは、全体としてすべてが通信ネットワーク（１つまたは複数）２５０によって結合されている販売促進車両２２０（１）−２２０（Ｎ）、サーバ・デバイス２３０（１）−２３０（Ｎ）、および証拠収集デバイス／車両２４０（１）−２４０（Ｎ）の間を機能的に結合し、かつ通信するが、このほかのデバイスおよび／または要素に対するこのほかのタイプまたは数の接続および／または構成を伴うこのほかのタイプおよび／または数の通信ネットワークまたはシステムもまた使用することができる。
【００３６】
通信ネットワーク（１つまたは複数）２５０は、図１に関して記述したとおりのネットワーク１２２と同じか、または類似とすることができるが、サービス・オファー車両２１０（１）−２１０（Ｎ）、販売促進車両２２０（１）−２２０（Ｎ）、サーバ・デバイス２３０（１）−２３０（Ｎ）、および／または証拠収集デバイス／車両２４０（１）−２４０（Ｎ）は、全体としてほかのトポロジを介して結合されることはあり得る。それに加えて、ネットワーク環境は、このほかの、たとえば１つまたは複数のルータおよび／またはスイッチ等のネットワーク・デバイスを含むことができるが、それらはこの分野において周知であり、したがって、ここでは説明しない。
【００３７】
例としてのみ述べるが、通信ネットワーク（１つまたは複数）２５０は、ローカル・エリア・ネットワーク（１つまたは複数）（ＬＡＮ（１つまたは複数））またはワイド・エリア・ネットワーク（１つまたは複数）（ＷＡＮ（１つまたは複数））を含むことができ、かつイーサネット経由のＴＣＰ／ＩＰおよび業界標準プロトコルを使用することが可能であるが、このほかのタイプおよび／または数のプロトコルおよび／または通信ネットワークを使用することはあり得る。この例における通信ネットワーク（１つまたは複数）２５０は、任意の適切なインターフェース・メカニズムおよび通信ネットワーク・テクノロジを採用することができ、それには、たとえば、任意の適切な形式の通信トラフィック（たとえば、音声、モデム、およびこれらの類）、公衆交換電話網（ＰＳＴＮ）、イーサネット・ベースのパケット・データ・ネットワーク（ＰＤＮ）、これらの組み合わせ、およびこれらの類が含まれる。
【００３８】
複数のサーバ・デバイス２３０（１）−２３０（Ｎ）は、個別に、または集合的に、図３に例示として図解されているとおりの中央プラットフォーム・サーバを実装することができる。さらに、複数のサーバ・デバイス２３０（１）−２３０（Ｎ）は、図１に関して記述したとおりのコンピュータ・システム１０２またはコンピュータ・デバイス１２０と、それに関して記述した任意の特徴または特徴の組み合わせを含めて同じか、または類似とすることができる。たとえば、サーバ・デバイス２３０（１）−２３０（Ｎ）のうちのいずれも、それらの特徴の中でもとりわけ、全体としてバスまたはそのほかの通信リンクによって結合される１つまたは複数のプロセッサ、メモリ、および通信インターフェースを含むことができるが、そのほかの数および／またはタイプのネットワーク・デバイスを使用することはあり得る。この例におけるサーバ・デバイス２３０（１）−２３０（Ｎ）は、通信ネットワーク（１つまたは複数）２５０を介してクライアント・デバイスから受信した要求を、たとえば、ＨＴＴＰベースの、および／またはＪＳＯＮ（ＪａｖａＳｃｒｉｐｔ  Ｏｂｊｅｃｔ  Ｎｏｔａｔｉｏｎ）プロトコルに従って処理することができるが、そのほかのプロトコルを使用することもできる。
【００３９】
サーバ・デバイス２３０（１）−２３０（Ｎ）は、ハードウエアまたはソフトウエアとすることができるか、または、内部または外部ネットワークを含むことができるプール内の複数のサーバを伴うシステムを表しているとすることができる。
【００４０】
サーバ・デバイス２３０（１）−２３０（Ｎ）は、単一のデバイスとして図解されているが、サーバ・デバイス２３０（１）−２３０（Ｎ）のそれぞれの１つまたは複数のアクションは、全体としてサーバ・デバイス２３０（１）−２３０（Ｎ）のうちの１つまたは複数を構成する１つまたは複数の別個のネットワーク・コンピューティング・デバイスにわたって分散させることができる。それに加えて、サーバ・デバイス２３０（１）−２３０（Ｎ）が特定の構成に限定されることはない。したがって、サーバ・デバイス２３０（１）−２３０（Ｎ）は、サーバ・デバイス２３０（１）−２３０（Ｎ）のネットワーク・コンピューティング・デバイスのうちの１つが、そのほかのネットワーク・コンピューティング・デバイスの動作を管理するか、かつ／またはそのほかの形で調和させるべく動作するマスタ／スレーブ・アプローチを使用して動作する複数のネットワーク・コンピューティング・デバイスを含むことができる。
【００４１】
サーバ・デバイス２３０（１）−２３０（Ｎ）は、たとえば、クラスタ・アーキテクチャ、ピア・トゥ・ピア・アーキテクチャ、仮想マシン内の、またはクラウド・アーキテクチャ内の複数のネットワーク・コンピューティング・デバイスとして動作することができる。したがって、ここに開示しているテクノロジは、単一の環境に限定されるとして解釈されるべきではなく、そのほかの構成およびアーキテクチャもまた企図される。
【００４２】
複数のサービス・オファー車両２１０（１）−２１０（Ｎ）および／または複数の販売促進車両２２０（１）−２２０（Ｎ）もまた、図１に関して記述したとおりのコンピュータ・システム１０２またはコンピュータ・デバイス１２０と、それに関して記述した任意の特徴または特徴の組み合わせを含めて類似する構成を有することができるコンピューティング・デバイスを含むことができる。たとえば、この例における複数のサービス・オファー車両２１０（１）−２１０（Ｎ）および／または複数の販売促進車両２２０（１）−２２０（Ｎ）内に含まれるコンピューティング・デバイスは、ＡＰＩに関係するウェブ・アプリケーションまたは分析の実行を容易にすることが可能な任意タイプのコンピューティング・デバイスを含むことができる。したがって、複数のサービス・オファー車両２１０（１）−２１０（Ｎ）および／または複数の販売促進車両２２０（１）−２２０（Ｎ）内に含まれるコンピューティング・デバイスは、限定ではないが、それぞれの車両に接続し、かつたとえば、チャット、電子メール、または音声テキスト変換アプリケーションをホストするモバイル・コンピューティング・デバイス、ラップトップ・コンピューティング・デバイス、タブレット・コンピューティング・デバイス、またはこれらの類を含むことができる。さらに、複数のサービス・オファー車両２１０（１）−２１０（Ｎ）および／または複数の販売促進車両２２０（１）−２２０（Ｎ）内に含まれるコンピューティング・デバイスは、付加的に、１つまたは複数のセンサが装備されるか、またはそれらと通信することができる。
【００４３】
複数のサービス・オファー車両２１０（１）−２１０（Ｎ）および／または複数の販売促進車両２２０（１）−２２０（Ｎ）内に含まれるコンピューティング・デバイスは、ユーザ要求を通信するために、１つまたは複数の車両、証拠収集デバイス／車両２４０（１）−２４０（Ｎ）のうちの１つまたは複数、および／またはサーバ・デバイス２３０（１）−２３０（Ｎ）のうちの１つまたは複数と通信ネットワーク（１つまたは複数）２５０を介して通信するためのインターフェースを提供できる標準のウェブ・ブラウザまたはスタンドアロンのクライアント・アプリケーション等のインターフェース・アプリケーションを走らせることができる。複数のサービス・オファー車両２１０（１）−２１０（Ｎ）および／または複数の販売促進車両２２０（１）−２２０（Ｎ）内に含まれるコンピューティング・デバイスは、さらに、特徴の中でもとりわけ、たとえばディスプレイ・スクリーンまたはタッチスクリーン等のディスプレイ・デバイスおよび／またはキーボード等の入力デバイスを含むことができる。
【００４４】
証拠収集デバイス／車両２４０（１）−２４０（Ｎ）は、複数のサービス・オファー車両２１０（１）−２１０（Ｎ）のうちの１つまたは複数によって提出された販売促進要求についての実施の判断材料の証拠を収集するか、または取り込むことができる。一例においては、証拠収集デバイス／車両２４０（１）−２４０（Ｎ）を、販売促進車両２２０（１）−２２０（Ｎ）のうちの１つ、証拠収集アクチュエータ（たとえば、カメラ、マイクロフォン、光測定器等）を伴う別々の車両、証拠収集アクチュエータを伴う無人飛翔体（たとえば、ドローン）、無人地上車両、またはこれらの類とすることができる。
【００４５】
ここでは、複数のサービス・オファー車両２１０（１）−２１０（Ｎ）、複数の販売促進車両２２０（１）−２２０（Ｎ）、サーバ・デバイス２３０（１）−２３０（Ｎ）、証拠収集デバイス／車両２４０（１）−２４０（Ｎ）、および通信ネットワーク（１つまたは複数）２５０を伴う例示的なネットワーク環境が記述され、かつ図解されているが、このほかのタイプおよび／または数のシステム、デバイス、構成要素、および／または要素を、このほかのトポロジ内において使用することはあり得る。理解されるものとするが、関連する分野（１つまたは複数）における当業者によって認識されることになるとおり、これらの例の実装に使用される具体的なハードウエアおよびソフトウエアの多くの変形が可能であることから、ここに記述されている例のシステムは、例示目的のためのものである。
【００４６】
ネットワーク環境内に図示されている、たとえばサーバ・デバイス２３０（１）−２３０（Ｎ）等のデバイスのうちの１つまたは複数は、同一の物理的マシン上の仮想インスタンスとして動作するべく構成することができる。言い換えると、サーバ・デバイス２３０（１）−２３０（Ｎ）のうちの１つまたは複数は、通信ネットワーク（１つまたは複数）２５０を通じて通信する別々のデバイスとしてではなく、むしろ同一の物理デバイス上において動作することができる。
【００４７】
それに加えて、２つまたはそれより多くのコンピューティング・システムまたはデバイスが、いずれかの例におけるシステムまたはデバイスのうちのいずれか１つに代わることができる。したがって、これらの例のデバイスおよびシステムの堅牢性およびパフォーマンスを増加するべく、所望に応じて、冗長性およびレプリケーション等の分散処理の原理および利点もまた実装され得る。また、これらの例は、任意の適切なインターフェース・メカニズムおよびトラフィック・テクノロジを使用して、例としてのみ述べるが、任意の適切な形式の通信トラフィック（たとえば、音声およびモデム）、無線トラフィック・ネットワーク、セルラ・トラフィック・ネットワーク、パケット・データ・ネットワーク（ＰＤＮ）、インターネット、イントラネット、およびこれらの組み合わせが含まれる任意の適切なネットワークにわたって延びるコンピュータ・システム（１つまたは複数）上において実装することもできる。
【００４８】
図３は、この開示の側面に従った、販売促進要求を生成し、かつ履行するための例示的な集中型システム環境を示す。
【００４９】
図３のシステムは、サービス・オファー車両３１０、販売促進車両３２０、中央プラットフォーム・サーバ３３０、証拠収集デバイス３４０、およびネットワーク３５０を含む。サービス・オファー車両３１０、販売促進車両３２０、中央プラットフォーム・サーバ３３０、および証拠収集デバイス３４０は、ネットワーク３５０を介して接続されている。
【００５０】
サービス・オファー車両３１０は、移動サービスをオファーすることができるタクシーまたは移動商店等の車両を含むことができる。より具体的に述べれば、サービス・オファー車両３１０は、ノーマディックであり、多様な場所に移動してサービスを提供することができる。一例においては、サービス・オファー車両３１０を、サービス・オファー車両３１０内におけるサービス（たとえば、相談サービス、税務サービス等）を提供するべく構成するか、またはサービス・オファー車両３１０上におけるサービス（たとえば、移動小売サービス）を提供するべく構成することができる。一例においては、サービス・オファー車両３１０が、新しく作られたホーム・コミュニティ内を走行し、ブラインド取り付けサービスを提供することができる。一例においては、サービス・オファー車両３１０が、様々な（たとえば、完全自律から半自律までの）範囲内において自律能力を有することができる。サービス・オファー車両３１０は、プロセッサ３１１および通信回路３１２を含む。サービス・オファー車両３１０は、オプションとして、支払いユーザ・インターフェース（ＵＩ）３１３を含むことができる。さらに、図解されていないが、サービス・オファー車両３１０は、付加的に、ルーティング・システム、一揃いのセンサ（たとえば、ライダ／レーダ、ＧＰＳセンサ、速度センサ、マイクロフォン等）を装備することができる。
【００５１】
プロセッサ３１１は、セルフ・オファー車両３１０の１つまたは複数の動作を実施することができる。さらに、プロセッサ３１１は、通信回路３１２を介して受信した入力を処理することができる。通信回路３１２は、販売促進車両３２０、中央プラットフォーム・サーバ３３０、および証拠収集デバイス３４０のうちの１つまたは複数とネットワークを介して通信するべく構成することができる。一例においては、通信回路３１２が、送信機、受信機、および／またはトランシーバを含むことができる。
【００５２】
支払いユーザ・インターフェース３１３は、移動サービスを使用するユーザの支払い／購入を解決するインターフェースとすることができ、支払いの証拠を収集することが可能である。一例においては、支払いの証拠を、支払いが行われたこと、およびおそらくはそのほかの、製品の量、数、またはこれらの類といった関連する支払い詳細の確認に使用可能なデータセットとすることができる。
【００５３】
一例においては、移動サービスが、街路上の顧客、またはおそらくは、異なる車両の搭乗者または建物の占有者に対して提供される、自動車中心の、またはそのほかの車両中心のサービスを指すとすることができる。より具体的に述べれば、移動サービスは、車両を使用して与えられる物理的なサービスとすることができ、たとえば、モバイル・デバイスのためのテレコミュニケーション・サービスによって提供されるモバイル・サービスとは区別される。移動サービスは、車両内、または車両上において与えられるサービスを含むことができる。この開示の側面によれば、移動サービスは、限定ではないが、移動小売店、タクシー・サービス、移動作業空間、仮眠ステーション、レンタル空間、車両内教育／レッスン、財務サービス／相談、ヘルス・ケア／ヘルス・サービス／身繕い、エンターテインメント、および観光旅行／もてなしサービスを含むことができる。一例においては、移動小売店が、限定ではないが、オファーされる製品の移動商店および／または配達を含むことができる。オファーされる製品は、一例において、飲料品、食料品、ファッション、消費者家電製品、およびこれらの類とすることができる。タクシー・サービスは、限定ではないが、呼び止め乗車、実店舗／レストランへの送迎、都市／移動性のサービスの統合を含むことができる。
【００５４】
販売促進車両３２０は、その販売促進車両３２０によって広告されている特定の販売促進に対して注意を促すべく利用され得る多様な装備またはアクチュエータ（たとえば、ディスプレイ、サウンド・システム、照明システム、可動スポイラ、モータ付きのボディ部品等）を装備することができる車両とすることができる。一例においては、販売促進車両３２０が、広告ビデオ／画像／楽曲の再生、画像の投影、発光、移動サービスの説明の提供、移動サービスの場所の提供、取り置き／予約、およびそのほかの形の、それのアクチュエータの使用によるそれ自体への注意の促しを行うことができる。販売促進車両３２０は、ブランド販売促進実行システム３２１、環境評価システム３２２、ユーザ評価システム３２３、プロセッサ３２４、および通信回路３２５を含む。
【００５５】
販売促進車両３２０は、販売促進の運用または実施を提供するために利用可能なアクチュエータの特定のセットを装備することができる多様なタイプの車両を含むことができる。一例においては、販売促進車両３２０が、様々な（たとえば、完全自律から半自律までの）範囲内において自律能力を有することができる。
【００５６】
ブランド販売促進実行システム３２１は、ブランド販売促進要求を実行するべく構成されたシステムとすることができる。一例においては、ブランド販売促進が、車両の１つまたは複数の能力を使用してブランド、製品、または移動サービスを販売促進する任意のアクションを実行する行為（たとえば、広告の表示、特定の場所またはビジネスへ注意を惹きつけるための特定の表示または音の出力）を指すとすることができる。この開示の側面によれば、ブランド販売促進アクションが、限定ではないが、以下を含むことができる：（ｉ）車両の外表面上における広告画像、ロゴ、ビデオ、および／またはアニメーションの表示、（ｉｉ）車両のボディの色または色パターンの変化、（ｉｉｉ）車両の内部の照明設定または外部の照明システムの変化、（ｉｖ）道路、側道、壁等の車両以外の表面への投影、（ｖ）車両のエクステリアの見掛けの変化（たとえば、スポイラの設定、ウインドウ／ドアの開放、ルーフの取り外し）、（ｖｉ）車両のインテリアの見掛けの変化（たとえば、シート位置の変更、製品の展示の変更、シートまたはそのほかの車両内の物の構成の変更）、（ｖｉｉ）オーディオ・アクション（たとえば、音、音楽、スピーチ等の再生）、（ｉｘ）ブランド販売促進の範囲内（たとえば、移動サービスの場所からの見通し線内または基準半径内）における潜在的な顧客に対する露出増加および／または注意の惹きつけのための移動（たとえば、速度の変更、レーンの変更等）、（ｘ）潜在的な顧客が範囲内（たとえば、見通し線内）にいる異なる場所（たとえば、異なる街路）への車両の経路変更。
【００５７】
この開示の側面によれば、ブランド販売促進実行システム３２１が、アクチュエータのシステムを含むことができる。アクチュエータのシステムは、限定ではないが、外部スクリーン／ディスプレイ、透明ディスプレイ、コントロール可能な色変化材料、ヘッドライト、車内照明システム、光投影機（たとえば、道路等の近隣の表面上に１つまたは複数の画像を投影する投影機）、コントロール可能な設定を伴う移動する自動車部品（たとえば、ウインドウ、電子的にコントロールされる自動車のルーフ、車内の位置／場所が変更可能なシート）、自動車内部／外部のスピーカ、運転支援システムおよびインターフェース、および／または自律運転システムを含む。運転支援システムおよびインターフェースは、特定の経路に沿って販売促進車両の運転者を案内すること、および／または速度の変更、レーンの変更、およびこれらの類といった特定の運転のアクションを実施するべく運転者に指示を与えることが可能であるとしてもよい。自律運転システムは、車両の１つまたは複数の側面を自律的にコントロールすることが可能であるとしてもよい。たとえば、自律運転システムは、特定の場所に向かった車両を操舵すること、道路上における配置をコントロールすること、および／または車両の速度を変更することが可能であるとしてもよい。
【００５８】
環境評価システム３２２は、販売促進車両３２０の場所から基準範囲または距離内のエリアの環境、または環境属性のデータセットを収集するべく構成された多様な構成要素を含むシステムとすることができる。一例においては、環境評価システム３２２が、画像センサ・システム、１つまたは複数のセンサ、多様な分析アルゴリズム、ナビゲーション・システム、およびインターネット接続アプリケーションを含むことができる。
【００５９】
一例においては、画像センサ・システムが、カメラ、ライダ、およびレーダを含むことができる。１つまたは複数のセンサは、オーディオ・センサ、距離センサ、ＧＰＳセンサ、生体センサ（たとえば、接触または非接触センサ）、および空質センサを含むことができる。分析アルゴリズムは、プロセッサ３２４がアクセスし、かつ実行することができる販売促進車両のメモリ内にストアされた１つまたは複数のアルゴリズムを含むことができる。分析アルゴリズムは、限定ではないが、関連する環境属性を記録するための１つまたは複数のセンサによって収集された生センサ入力を分析することが可能なアルゴリズムを含むことができる。一例においては、分析アルゴリズムが、所定の画像内の人の数または人の活動のタイプを決定することが可能なコンピュータ・アルゴリズム、オーディオから感情を検出することが可能なアルゴリズムを含むことができる。一例においては、ナビゲーション・システムを、道路状況、交通状況、または販売促進車両の特定の経路について、ほかのソースから情報を受信することが可能な車両対車両および／または車両対インフラストラクチャ通信システムとすることができる。一例においては、インターネット接続アプリケーションが、ソシアル・メディア・フィード、ブログ、またはそのほかのインターネット・ソースから雰囲気またはそのほかの場所ベースの情報を検出することができる。
【００６０】
この開示の側面によれば、環境属性が、限定ではないが、販売促進車両３２０から所定距離内の人々の数／密度、交通レベルまたは混雑のレベル、ある場所の特定の移動時間内におけるほかの移動サービスの数、街路上の注目点／行われている活動／イベント、車両の占有度およびほかの近隣車両のタイプ、および場所／街路／近隣のムード／雰囲気のタイプを含む。一例においては、決定された環境属性を、販売促進車両３２０内においてストアすることができるか、かつ／または中央プラットフォーム・サーバ３３０に送信することができる。環境属性は、リアルタイムで送信することができ、また、販売促進動作の実施に割り当てられた販売促進車両によって、または販売促進要求が履行されることになるエリア（および、周囲のエリア）を通過する販売促進車両（または、そのほかの車両）によって送信することができる。
【００６１】
ユーザ評価システム３２３は、データセットまたはユーザ評価データを収集することが可能な多様な構成要素を含むシステムとすることができる。一例においては、ユーザ評価システム３２３が、ブランド販売促進の間における、またはそれに応答したユーザのインタラクション／活動についての生データを収集する１つまたは複数のセンサを含むことができる。また、ユーザ評価システム３２３は、生センサ入力を分析し、センサ入力内の関連するユーザ評価データ（たとえば、ジェスチャ認識、視線追跡、感情認識等）を見つけることが可能な１つまたは複数のアルゴリズムを含むこともできる。一例においては、ユーザ評価システム３２３のその１つまたは複数のアルゴリズムを販売促進車両のメモリ内にストアすることができ、それにプロセッサ３２４がアクセスし、かつ実行することができる。ユーザ評価データは、限定ではないが、ユーザの移動のタイプ、ユーザによってなされたジェスチャ、車両またはユーザに属する（たとえば、モバイル・デバイス）ユーザ・インターフェースとのユーザのインタラクション／それへの入力、ユーザの視線の方向／持続時間、ユーザの感情の状態、およびユーザの音声を含むことができる。
【００６２】
ユーザ評価データは、以下のような例によって獲得することが可能である：ユーザの移動のタイプまたはユーザによってなされたジェスチャ、たとえば、ユーザのうなずきを、カメラ認識を使用して獲得することが可能である；車両またはユーザに属するユーザ・インターフェース（たとえば、モバイル・デバイス）とのユーザのインタラクション／それへの入力、たとえば、情報を検索し、その後、関連するウェブ・サイトの部分をクリックするためのユーザの動作は、クリック動作を検出するためのセンサ、指紋センサ、重力センサ等を使用して獲得することが可能である；ユーザの視線の方向／持続時間は、カメラ認識を使用して獲得することが可能である；ユーザの感情の状態は、ユーザの交感および副交感神経の活動を検出することが可能なミリ波測定、ユーザのパルス波を検出することが可能な圧力センサ等を使用して獲得することが可能である；ユーザの音声は、音声認識エンジンと結合された、音声を拾い上げるためのマイクロフォンを使用して、たとえば販売促進車両によって提供された情報に関係のある単語が認識された場合に獲得することが可能である。
【００６３】
プロセッサ３２４は、ブランド販売促進実行システム３２１、環境評価システム３２２、およびユーザ評価システム３２３の動作のうちの１つまたは複数を実施することができる。さらに、プロセッサ３２４は、通信回路３２５を介して受信した入力を処理することができる。通信回路３２５は、サービス・オファー車両３１０、中央プラットフォーム・サーバ３３０、そのほかの販売促進車両、および証拠収集デバイス３４０のうちの１つまたは複数と、ネットワークを介して通信するべく構成することができる。一例においては、通信回路３２５が、送信機、受信機、および／またはトランシーバを含むことができる。
【００６４】
中央プラットフォーム・サーバ３３０は、物理的なサーバまたは仮想サーバとすることができる。中央プラットフォーム・サーバ３３０は、販売促進要求データベース３３１、販売促進評価アルゴリズム３３２、証拠データセット評価アルゴリズム３３３、顧客インタラクションの証拠評価アルゴリズム３３４、プロセッサ３３５、および通信回路３３６を含む。販売促進要求データベース３３１、販売促進評価アルゴリズム３３２、証拠データセット評価アルゴリズム３３３、および顧客インタラクションの証拠評価アルゴリズム３３４は、１つまたは複数のメモリ内に含まれている。
【００６５】
販売促進要求データベース３３１は、サービス・オファー車両３１０によって創出することができるデータセットの複数のインスタンスまたは販売促進要求をストアしているデータベースとすることができる。販売促進要求は、ブランド販売促進を実行するための情報および条件を含む。一例においては、販売促進要求が、限定ではないが、サービス・オファー車両識別子（ＩＤ）、望ましい販売促進車両の能力、望ましい環境属性、ブランド販売促進インストラクション、ユーザ評価インストラクション、証拠データセット収集インストラクション、および報酬条件を含むことができる。
【００６６】
一例においては、サービス・オファー車両ＩＤが、ナンバー・プレート等のサービス・オファー車両３１０の識別に使用される情報を指すとすることができる。それに加えて、サービス・オファー車両ＩＤは、サービス・オファー車両３１０の製造およびモデル等の車両の記述を含むか、またはそれに対応させることもできる。望ましい販売促進車両の能力は、販売促進車両が能力を有するべきブランド販売促進アクションのタイプ、およびオプションとしての車両の製造／モデルまたは車両の占有度といったそのほかの望ましい属性を記述する情報を指すとすることができる。望ましい環境属性は、販売促進車両３２０がブランド販売促進を実行するべき環境属性を指すとすることができる。たとえば、望ましい環境属性は、限定ではないが、販売促進車両３２０の見通し線（または、基準の距離）内にいる人々の望ましい数、検出された人間の活動、特定の範囲内における車両の数、街路の雰囲気を含むことができる。ブランド販売促進インストラクションは、いずれのアクションをブランド販売促進実行システム３２１が実施するべきかを記述しているインストラクションを指すとすることができる。ユーザ評価インストラクションは、ブランド販売促進の間に、いずれのユーザ評価データをユーザ評価システム３２３が収集するべきかを記述しているインストラクションを含むことができる。証拠データセット収集インストラクションは、いずれのデータを証拠データセット内に含めるかを記述しているインストラクションを含むことができる。報酬条件は、要求された販売促進活動の実施および／または証拠データセットの受信の後に販売促進車両に権利が与えられることがある報酬（たとえば、タイプ、額等）を記述する条件のセットを指すとすることができる。オプションとして、報酬を、いずれの報酬条件が満たされたかに応じて変動するサイズ／値を有するべく設定することができる。
【００６７】
証拠データセットは、販売促進要求内に指定されたとおりにブランド販売促進が行われたことを示すデータセットを含むことができる。証拠データセットは、限定ではないが、販売促進車両ＩＤ、ブランド販売促進の実行の証拠、環境属性、およびユーザ評価データを含むことができる。一例においては、販売促進車両ＩＤが、ナンバー・プレート等の販売促進車両３２０の識別に使用される情報を指すとすることができる。それに加えて、販売促進車両ＩＤは、販売促進車両３２０の製造およびモデル、販売促進車両３２０の販売促進の能力、販売促進車両３２０上において利用可能な装備、およびこれらの類といった車両の記述を含むか、またはそれに対応させることもできる。ブランド販売促進の実行の証拠は、ブランド販売促進実行システム３２１が望ましいブランド販売促進インストラクションを実行したことを示すセンサの読み値／そのほかのデータを含むことができる。一例においては、これらのセンサの読み値を、販売促進車両３２０、別のデバイス（たとえば、ドローン）、および／または都市のインフラストラクチャ（たとえば、安全／セキュリティ／監視カメラ、信号無視抑止システム、有料道路のセンサ、およびこれらの類）等の信頼できるサードパーティによって提供することができる。（ｉ）販売促進要求の中に記述されたとおりの望ましい環境属性が満たされたことを示すため、および／または（ｉｉ）販売促進車両３２０の環境についての望ましい関連データをサービス・オファー車両に提供するために含めることができる環境属性。（ｉ）ブランド販売促進の間にユーザ評価インストラクションが実行されたことを示すため、および／または（ｉｉ）販売促進車両３２０の近くにいるユーザについての望ましい関連データ、および／またはそれらのユーザのブランド販売促進に対する反応をサービス・オファー車両に提供するために含めることができるユーザ評価データ。
【００６８】
販売促進評価アルゴリズム３３２は、潜在的な販売促進車両および望ましい環境属性を入力として受け取るアルゴリズムとすることができる。それに応答して、販売促進評価アルゴリズム３３２は、与えられた販売促進要求に対して販売促進車両３２０がどの程度まで整合するかを決定するために使用することが可能なスコア、値、ランク、またはそのほかの情報を出力することができる。
【００６９】
証拠データセット評価アルゴリズム３３３は、証拠データセットを入力として受け取り、証拠データセットがどの程度良好に販売促進要求の中に記述されたとおりの証拠データセット収集インストラクションと整合するかを示すスコア、値、ランク、またはそのほかの示度を出力するアルゴリズムとすることができる。
【００７０】
顧客インタラクションの証拠評価アルゴリズム３３４は、入力として顧客インタラクションの証拠データセットを受け取り、販売促進車両３２０によって実施されたブランド販売促進の結果としてサービス・オファー車両３１０がどのくらいの追加収入／利益を受け取ったかについての価値尺度として使用することができるスコア、値、ランク、またはそのほかの所定の情報を示すものを出力するアルゴリズムとすることができる。顧客インタラクションの証拠データセットは、ブランド販売促進が行われた後にユーザとサービス・オファー車両３１０の間においてどのような取引が行われたかを示すデータセットを指すとすることができる。一例においては、顧客インタラクションの証拠データセットは、センサの読み値および財務記録を含むことができる。ユーザとサービス・オファー車両の間におけるインタラクションを示す、車両のカメラ、マイクロフォン、生体信号を収集するセンサ、またはそのほかのセンサからの読み値等のセンサの読み値。ユーザとサービス・オファー車両の間における取引属性を示す財務記録。一例においては、財務記録が、限定ではないが、支払いの総額、製品の数、およびこれらの類を含むことができる。
【００７１】
一例においては、顧客インタラクションの証拠評価アルゴリズム３３４を使用して、支払い条件に記述されている場合に、販売促進車両３２０に対して与えられる報酬の額を決定することができる。
【００７２】
プロセッサ３３５は、販売促進要求データベース３３１、販売促進評価アルゴリズム３３２、顧客インタラクションの証拠評価アルゴリズム３３４、および通信回路３３６のうちの１つまたは複数を介して受け取った入力に応答して１つまたは複数の実行を実施することができる。プロセッサ３３５は、販売促進評価アルゴリズム３３２、顧客インタラクションの証拠評価アルゴリズム３３４、および通信回路３３６のうちの１つまたは複数に対して出力を提供することができる。通信回路３３６は、サービス・オファー車両３１０、販売促進車両３２０、および／または証拠収集デバイス３４０と、ネットワーク３５０を介して通信するべく構成することができる。一例においては、通信回路３３６が、送信機、受信機、および／またはトランシーバを含むことができる。
【００７３】
証拠収集デバイス３４０は、証拠が収集されることになる場所から基準距離内における検知テクノロジが装備された車両、またはブランド販売促進の実施の証拠を収集するためのセンサを装備した無人飛翔デバイス（たとえば、ドローン）とすることができる。証拠収集デバイス３４０は、プロセッサ３４１、通信システム３４２、およびカメラ３４３を含む。しかしながら、この開示の側面がこれらに限定されることはなく、証拠収集デバイス３４０は、ブランド販売促進の実施の証拠を収集するための追加のセンサを含むことができる。さらに、中央プラットフォーム・サーバ３３０は、販売促進車両３２０から完了の通知を受信すると、証拠収集デバイス３４０を展開することができる。それに代えて、中央プラットフォーム・サーバ３３０は、販売促進車両３２０によって提供された判断材料が不充分であると決定された場合に、証拠収集デバイス３４０を展開することができる。
【００７４】
図４Ａ乃至４Ｂは、この開示の側面に従った、多様な車両を使用する販売促進要求を生成し、かつ履行するための例示的な方法を示している。
【００７５】
動作Ｓ４０１においては、サービス・オファー車両等の車両によって販売促進要求が生成される。販売促進要求は、ブランド販売促進を実行するための情報および条件を含む。一例においては、販売促進要求が、限定ではないが、サービス・オファー車両識別子（ＩＤ）、望ましい販売促進車両の能力、望ましい環境属性、ブランド販売促進インストラクション、ユーザ評価インストラクション、証拠データセット収集インストラクション、および報酬条件を含むことができる。また、ブランド販売促進インストラクションが、販売促進のタイプ、販売促進の場所、および／または販売促進の持続期間を指定することができる。一例においては、ブランド販売促進インストラクションを、多様なポップアップまたは一時的な販売促進イベントまたは場所のために動的に生成することができる。より具体的に述べれば、販売促進要求およびブランド販売促進インストラクションを、移動サービス・オファーのために動的に生成することができ、それが、それのサービスの場所を頻度ベースで修正することができる。さらに、移動サービス・プロバイダが動作している間にそれの場所が修正された場合には、販売促進要求およびブランド販売促進インストラクションを動的に更新することができる。
【００７６】
動作Ｓ４０２においては、生成された販売促進要求が、通信ネットワーク経由で常駐する中央のサーバへ送信される。送信された販売促進要求は、販売促進要求データベース等の中央のサーバのデータベースまたはメモリ内にストアすることができる。
【００７７】
動作Ｓ４０３においては、販売促進要求に対応する望ましい環境属性が決定される。一例においては、環境属性が、限定ではないが、販売促進車両から所定距離内の人々の数／密度、交通レベルまたは混雑のレベル、ある場所の特定の移動時間内におけるほかの移動サービスの数、街路上の注目点／行われている活動／イベント、車両の占有度およびほかの近隣車両のタイプ、および場所／街路／近隣のムード／雰囲気のタイプを含む。
【００７８】
動作Ｓ４０４においては、集中型サーバが、販売促進要求の中で指定された条件を、１つまたは複数の登録済み販売促進車両によって満たすことが可能であるか否かを決定する。たとえば、販売促進要求の中で指定された条件は、限定ではないが、ブランド販売促進が行われる場所からの接近度または距離、車両上に提供された能力／装備、車両のタイプ（たとえば、コンバーチブル、トラック、スポーツカー等）、車両の車齢または年式、車両のブランド、およびこの類を含むことができる。サービス・オファー車両からの基準距離またはそれぞれの車両上に備えられた装備等の指定された条件に基づいて、可能性のある販売促進車両のリストを、それらの対応する属性のリストとともに生成することができる。さらに、可能性のある販売促進車両のリストを、販売促進要求側の好み、販売促進車両のタイプ、販売促進車両の経験レベル、販売促進車両の車齢、およびこれらの類を含むことができる１つまたは複数の要因に基づいてランク付けすることができる。
【００７９】
販売促進要求の中で指定されているとおりの販売促進の実施が生じることになる場所の基準距離内に位置する登録済み販売促進車両が、いずれも販売促進要求の中で指定されているとおりの条件を満たさないと動作Ｓ４０４において決定されると、この方法が動作Ｓ４０５へ進む。動作Ｓ４０５においては、販売促進要求の中で指定されている条件を、登録済み販売促進車両のより大きなプールから選択するべく修正することができる。一例においては、修正された条件の１つが、販売促進の実施が生じることになる場所からの基準距離の調整を含むことができる。しかしながら、この開示の側面がそれに限定されることはなく、そのほかの条件のうちの１つまたは複数が修正されてもよい。
【００８０】
動作Ｓ４０４において、１つまたは複数の販売促進車両が指定されている条件を満たした場合には、この方法が動作Ｓ４０６へ進む。動作Ｓ４０６においては、販売促進要求の中で指定されている条件を満たす販売促進車両が、販売促進要求とマッチングされる。一例においては、集中型サーバのメモリ内にストアされている販売促進評価アルゴリズムによって、その１つまたは複数の販売促進車両と販売促進要求とをマッチングすることができる。たとえば、販売促進評価アルゴリズムは、販売促進車両の能力およびその販売促進車両によって収集される環境属性（たとえば、半径３０メートル内の歩行者数＞＝２２）を受け取ることができる。別の例においては、その環境属性と望ましい環境属性（たとえば、半径３０メートル内の望ましい歩行者数：＞１５＝『最低限』、＞２０＝『望ましい』）とを比較することができる。さらに別の例においては、販売促進評価アルゴリズムが、販売促進要求と販売促進車両（１つまたは複数）の間における可能性のある整合を出力することができる（たとえば、１つまたはいくつかの環境属性スコアが『望ましい』であれば、整合したとする；すなわちその販売促進車両がブランド販売促進を実行することを許可する）。
【００８１】
動作Ｓ４０７においては、中央のサーバが、それらの１つまたは複数の整合した販売促進車両に対して販売促進要求を送信して受諾を求める。
【００８２】
動作Ｓ４０８においては、中央のサーバが、整合した販売促進車両から受諾を受信したか否かの決定がなされる。あらかじめ決定済みの時間期間（たとえば、１分）内に受諾の受信が皆無であるか、または販売促進要求の中で指定されている販売促進車両の数より受諾が少ない場合には、この方法が動作Ｓ４０５へ進み、それにおいて、販売促進要求の中で指定されている１つまたは複数の条件が調整される。たとえば、１分のブロードキャストの後に受諾の受信が皆無であれば、基準距離または範囲を、あらかじめ決定済みの数の受諾が受信され得るまで拡張してより大きくすることができる。
【００８３】
動作Ｓ４０８において、あらかじめ決定済みの数の販売促進車両が販売促進要求を受諾している場合には、この方法が動作Ｓ４０９へ進む。それに加えて、あらかじめ決定済みの数より大きい数の受諾を受信した場合に、中央のサーバは、販売促進車両の実施の見直し、車両の車齢または年式、車両のタイプ、車両のブランド、要求されている販売促進を実施するために利用可能な時間、要求されている販売促進を実施するためのコスト、およびこれらの類といったプリセット済みの評価基準に基づいて、受諾している販売促進車両の中からあらかじめ決定済みの数の販売促進車両を選択することができる。
【００８４】
動作Ｓ４０９においては、中央のサーバまたは販売促進車両が、サービス・オファー車両の場所からの距離範囲を決定し、さらに、販売促進要求および／または環境属性のうちの１つまたは複数に基づいて、その距離範囲内における販売促進経路を決定する。一例においては、販売促進要求が、販売促進車両に、サービス・オファー車両の場所から半径１／４マイル内を移動している間における販売促進の実施を指定することができる。さらに、販売促進要求は、販売促進車両に、半径１／４マイル内の基準スレッショルドを超える人口密度を有する１つまたは複数の選択エリアへ移動する間における販売促進の実施を指定することができる。より具体的に述べれば、販売促進経路を、サービス・オファー車両の場所からの距離範囲内にある基準スレッショルドを超える人口密度を有する選択エリアのうちの１つまたは複数を通過するべく設定することができる。一例においては、人口密度を、その距離範囲内の環境属性に基づいて決定することができる。環境属性は、販売促進車両、サービス・オファー車両、および／またはその距離範囲内に含まれるエリアを通過するそのほかの車両によって提供することができる。
【００８５】
動作Ｓ４１０においては、販売促進車両が、販売促進要求の中で指定されているとおりに、および／または１つまたは複数の環境属性の観点から販売促進要求を実行する。一例においては、販売促進車両が、販売促進要求の中に含められている販売促進実行インストラクションに従って販売促進を実行することができる。一例においては、販売促進の実施が、限定ではないが、以下を含むことができる：（ｉ）車両の外表面上における広告画像、ロゴ、ビデオ、および／またはアニメーションの表示、（ｉｉ）車両のボディの色または色パターンの変化、（ｉｉｉ）車両の内部の照明設定または外部の照明システムの変化、（ｉｖ）道路、側道、壁等の車両以外の表面への投影、（ｖ）車両のエクステリアの見掛けの変化（たとえば、スポイラの設定、ウインドウ／ドアの開放、ルーフの取り外し）、（ｖｉ）車両のインテリアの見掛けの変化（たとえば、シート位置の変更、製品の展示の変更、シートまたはそのほかの車両内の物の構成の変更、（ｖｉｉ）オーディオ・アクション（たとえば、音、音楽、スピーチ等の再生）、（ｉｘ）ブランド販売促進の範囲内（たとえば、移動サービスの場所からの見通し線内または基準半径内）における潜在的な顧客に対する露出増加および／または注意の惹きつけのための移動（たとえば、速度の変更、レーンの変更等）、（ｘ）潜在的な顧客が範囲内（たとえば、見通し線内）にいる異なる場所（たとえば、異なる街路）への車両の経路変更。さらに、販売促進の実施は、販売促進車両が移動している間、または計算された経路に沿った多様な停車の間に行われ得る。それに加えて、販売促進要求が、販売促進車両に、販売促進の実施の間、あらかじめ決定済みの速度制限より遅く、またはそれより速く移動することを指定してもよい。
【００８６】
動作Ｓ４１１においては、販売促進車両または中央のサーバが、販売促進の実施の間に環境属性のうちの１つまたは複数に変化があったか否かを決定する。環境属性のうちの１つまたは複数が変化した場合（たとえば、サービス・オファー車両の基準範囲内の多様な場所における人々の密度、天候の変化、イベントの完了等）には、この方法が、動作Ｓ４１２へ進む。動作Ｓ４１２においては、販売促進車両の販売促進経路が、修正された環境属性の観点から修正される。動作Ｓ４１１において、環境属性に変化がない場合には、この方法が動作Ｓ４１３へ進む。
【００８７】
動作Ｓ４１３においては、販売促進の実施が完了したか否かの決定がなされる。販売促進の実施が完了していないと決定された場合には、この方法が動作Ｓ４１０へ戻る。その反対に、動作Ｓ４１３において、販売促進の実施が完了したと決定された場合には、この方法が動作Ｓ４１４へ進む。
【００８８】
動作Ｓ４１４においては、販売促進車両が、サービス・オファー車両または集中型サーバに対して完了の通知を送信する。完了の通知を送信すると、Ｓ４１５において証拠データセットが収集される。一例においては、証拠データセットを、その販売促進を実施した販売促進車両、別の車両、無人飛翔デバイス（たとえば、ドローン）またはこれらの類によって収集することができる。より具体的に述べれば、完了の通知の受信時に、いずれの車両／デバイスが証拠データセットの収集に割り当てられることになるかについての決定が、なされ得る。一例においては、証拠データセットが、販売促進要求の中で指定されているとおりにブランド販売促進が行われたことを示すデータセットを含むことができる。証拠データセットは、限定ではないが、販売促進車両ＩＤ、ブランド販売促進の実行の証拠、環境属性、およびユーザ評価データを含むことができる。
【００８９】
動作Ｓ４１６においては、証拠データセットが、販売促進要求の中の条件セットを満たしているか否かについての決定がなされる。一例においては、その種の決定が、集中型サーバのメモリ内にストアされている証拠データセット評価アルゴリズムによってなされ得る。証拠データセットが、満足のいくものでないと決定された場合には、この方法が、動作Ｓ４１５へ戻ることになる。その種のシナリオにおいては、証拠データセットの収集が、別の車両またはデバイスによって実施されることがある。たとえば、証拠データセットを収集する第１の試みが、当初、その販売促進を実施した販売促進車両によってなされた場合に、第２の試みが別の車両、無人飛翔デバイス（たとえば、ドローン）、多様な固定構造物上に据え付けられたカメラのシステム、またはこれらの類によって実施されてもよい。
【００９０】
証拠データセットが満足のいくものであると決定された場合には、この方法が動作Ｓ４１７へ進み、それにおいては、集中型サーバまたはサービス・オファー車両が販売促進車両への報酬を決定し、提供することになる。一例においては、報酬を、集中型サーバのメモリ内にストアされている顧客インタラクションの証拠評価アルゴリズムによって決定することができる。この開示の側面によれば、報酬のための条件および報酬の額を、販売促進要求の中で指定することができる。
【００９１】
図５は、この開示の側面に従った、サービス・オファー車両の位置決めに関して販売促進経路を決定するための方法を図解している。
【００９２】
動作Ｓ５０１においては、サービス・オファー車両の場所を決定することができる。一例においては、サービス・オファー車両の場所を、中央のサーバに対してサービス・オファー車両によって送信された場所信号に基づいて、中央のサーバによって決定することができる。それに代えて、サービス・オファー車両の場所を、販売促進要求に基づいて決定することができる。
【００９３】
動作Ｓ５０２においては、販売促進の実施の間に販売促進車両が移動すること、または定置されることが期待されるか否かについての決定がなされる。一例においては、販売促進要求が、販売促進の実施を定置とするか、または移動するかを指定することができる。
【００９４】
動作Ｓ５０２において、販売促進の実施が定置であると決定されると、この方法が方法Ｓ５０３へ進む。動作Ｓ５０３においては、販売促進車両が、サービス・オファー車両の場所に関して配置されるべき場所を決定する。一例においては、配置されることになる場所を、サービス・オファー車両の場所の近隣にすることができるか、または予定地の指定された場所（たとえば、指定の駐車スポット）とすることができる。さらに、複数の販売促進車両がその販売促進の実施に割り当てられる場合には、配置されることになる場所を、サービス・オファー車両およびほかの居合わせる販売促進車両の両方に関して決定することができる。一例においては、複数の販売促進車両のそれぞれに場所を指定することができるか、または販売促進車両のそれぞれが、複数の指定された場所（たとえば、指定された駐車スポット、サービス・オファー車両から特定の距離の離隔等）の中から利用可能な場所に位置することになる。より具体的に述べれば、販売促進車両が到着した時点で、サービス・オファー車両の背後の場所が別の販売促進車両によって占有されていた場合に、遅く到着した販売促進車両は、そのサービス・オファー車両の正面の場所をとることになる。
【００９５】
動作Ｓ５０２において、販売促進の実施が移動であると決定されると、それが一定した移動であるか、または経路に沿って１つまたは複数の停車を伴う移動であるかのいずれであっても、この方法が動作Ｓ５０４へ進む。動作Ｓ５０４においては、販売促進の実施のための移動半径が決定される。一例においては、移動半径を、サービス・オファー車両に関して決定することができる。さらに、移動半径を販売促進要求によって指定すること、および／または１つまたは複数の環境属性の観点から決定することができる。より具体的に述べれば、販売促進要求が、移動半径のための値または値の範囲を指定することができる。一例においては、この値の範囲が、１つまたは複数の環境属性に基づいて調整することができる最小値および最大値を指定することができる。最大値が、サービス・オファー車両から０．２マイルを指定しているが、０．２マイルの半径内において実施の販売促進に露出され得る人々の大多数（たとえば、＞８０％）が、サービス・オファー車両から０．１マイルの半径内にいると決定すると、移動半径の値を０．１マイルの半径に調整することができる。この開示の側面によれば、移動半径の値を、１つまたは複数の環境属性が変化する場合に変更の対象とすることができる。
【００９６】
動作Ｓ５０５においては、販売促進車両または集中型サーバが、サービス・オファー車両の場所に関して移動半径内の販売促進経路を決定する。一例においては、販売促進経路を、販売促進の実施の露出の量に基づいて決定することができる。より具体的に述べれば、１つまたは複数の環境属性が、移動半径内の選択場所における人々の大きな集まりを示している場合には、その種の場所を通過するべく販売促進経路を指定するか、または設定することができる。人々の大きな集まりは、多様な車両を介して獲得されたセンサ・データ、および／または販売促進車両によって、それがサービス・オファー車両に向かって走行するときに収集されるセンサ・データに基づいて中央のサーバが決定することができる。
【００９７】
さらに、販売促進経路は、それのセンサによって検出された人々の数が、あらかじめ決定済みの数より大きい場所、または人々の大きな集まりを有するとして示された場所に一時的に停車する旨を指定することができる。一例においては、停車の長さをあらかじめ決定済みとするか、または販売促進車両によって検出される関心の量に基づくとすることができる。より具体的に述べれば、停車の長さは、最短の持続期間を指定することができるが、検出される関心の量があらかじめ決定済みの値より大きい場合には、より長い持続期間を許容する。検出される関心の量は、停車した場所における人々の視線方向によって決定することができる。より具体的に述べれば、販売促進車両のセンサによって検出されたとき、あらかじめ決定済みの数の人々の視線方向が販売促進車両に向けられていた場合には、販売促進車両は、最短持続期間より長くとどまることを決定することができる。販売促進車両によって検出される関心の量があらかじめ決定済みの値より短い場合に、販売促進車両は、最短持続期間が経過した後に販売促進経路に沿って進むことができる。
【００９８】
さらに、販売促進経路は、販売促進車両の移動速度、または移動速度の範囲を指定することもできる。たとえば、移動速度を、販売促進車両のセンサによって検出される人々の数に従って変動的に調整することができる。より具体的に述べれば、移動速度を、検出される人々の数と逆の関係にすることができる。より多くの人々が検出されるほど、販売促進車両は、より遅く移動することができる。
【００９９】
それに加えて、オーディオ出力レベルを、それのセンサによって検出される人々の量に従って、および／または販売促進車両のマイクロフォンによって検出されるサウンドのレベルに基づいて変動的に調整することができる。たとえば、より大きな数の人々が検出されるとき、および／または検出されるサウンド・レベルが増加するとき、オーディオ出力レベルを増加することができる。
【０１００】
動作Ｓ５０６においては、販売促進車両が決定された販売促進経路に沿って移動し、販売促進を実施する。一例においては、販売促進が、広告画像、ロゴ・ビデオ、および／またはアニメーションの販売促進車両の外部ディスプレイ上における展示を含むことができる。さらに、サービス・オファー車両の方向または場所を表示することもできる。それに加えて、販売促進車両は、それのライトおよびアクチュエータを動作させて注意を販売促進車両へ促すことができる。たとえば、販売促進車両は、それの光投影機を利用して、道路または建物に画像を投影することができる。さらにまた、販売促進車両は、オーディオ広告または情報を提供することができる。
【０１０１】
それに加えて、販売促進に惹きつけられたとして特定数の人々が検出された場合に、販売促進車両が一時的に停車し、それのアクチュエータの使用を介して（たとえば、物理的または電子的な）販売促進クーポンを提供することができる。たとえば、ウインドウまたはトランクを開き、物理的なクーポンを分配するか、またはそれへのアクセスを可能にすることができる。それに代えて、販売促進車両は、特定の番号へのダイアルまたは特定のウェブ・サイトへの訪問といった電子クーポンを獲得するための情報を提供することができる。さらに、販売促進車両は、サービス・オファー車両における予約のスケジューリングを容易にすることもできる。
【０１０２】
動作Ｓ５０７においては、サービス・オファー車両が移動しているか、または定置されるかの決定がなされる。サービス・オファー車両が移動しているか、または定置されるかの決定は、販売促進車両が決定された販売促進経路に沿って移動している間になされるとすることができる。一例においては、来訪のレベルがあらかじめ決定済みのスレッショルドより低い場合に特定の持続時間の後、または特定のイベント（たとえば、スポーツ・イベント）が終了した後に、サービス・オファー車両は、別の場所への移動を決定することができる。この開示の側面によれば、サービス・オファー車両の移動の決定を、中央のサーバとそのサービス・オファー車両の間において確立された通信に基づいて決定することができる。別の例においては、サービス・オファー車両が、別の販売促進要求、または、そのサービス・オファー車両が別の場所へ移動する意図であることを示す修正後の販売促進要求を送信することができる。さらに、サービス・オファー車両は、それに加えて、そのサービス・オファー車両がとろうと意図している移動経路を提供することができる。
【０１０３】
サービス・オファー車両の場所が移動しないと動作Ｓ５０７において決定された場合には、販売促進車両が、動作Ｓ５０６において、決定された販売促進経路に沿った移動を継続する。
【０１０４】
動作Ｓ５０７においてサービス・オファー車両の場所が移動すると決定された場合には、サービス・オファー車両の移動経路が、動作Ｓ５０８において決定される。一例においては、新しいサービス・オファーの場所および新しいサービス・オファーの場所に対応する移動経路を、サービス・オファー車両が決定し、集中型サーバおよび／または販売促進車両に対して送信することができる。
【０１０５】
動作Ｓ５０９においては、販売促進車両が、新しいサービス・オファーの場所および新しいサービス・オファーの場所に対応する移動経路を受信すると、それの販売促進経路を修正する。一例においては、修正後の販売促進経路が、販売促進を実施しつつ、新しいサービス・オファーの場所までサービス・オファー車両に追随することを指定することができる。それに代えて、修正後の販売促進経路は、サービス・オファー車両より先に移動すること、および新しいサービス・オファーの場所への到着に先行する販売促進の実施を指定することができる。一例においては、修正後の販売促進経路が、サービス・オファー車両による新しいサービス・オファーの場所への移動経路と同じであるとすることができるか、またはそれらの目標が異なり得ることから、それらが異なるとすることができる。より具体的に述べれば、サービス・オファー車両は、新しいサービスの場所におけるサービスのオファーのための準備が可能となるように、可能な限り速く新しいサービスの場所へ移動することに、より大きな関心を持つことがあるが、販売促進車両は、もっとも多くの量の注意を獲得することができる経路に沿って移動することができる。
【０１０６】
動作Ｓ５１０においては、販売促進車両が、販売促進を実施しつつ、修正後の販売促進経路に沿って移動する。
【０１０７】
図６は、この開示の側面に従った、販売促進車両に対して販売促進要求をマッチングするための方法を示している。
【０１０８】
動作Ｓ６０１においては、集中型サーバが、サービス・オファー車両によって生成され得る販売促進要求を受信する。しかしながら、この開示の側面がこれに限定されることはなく、販売促進要求が、モバイル・デバイス、スマートフォン、スマートウォッチ、据え置き型コンピュータ、キオスク、またはこれらの類等のコンピューティング・デバイスによって生成されてもよい。
【０１０９】
動作Ｓ６０２においては、指定された販売促進要求のパラメータまたは属性を集中型サーバが抽出する。たとえば、販売促進要求は、パッケージを開いて抽出することができる、その販売促進要求を実施するために適格な車両を識別するためのいくつかのパラメータを有することができる。パラメータは、限定ではないが、販売促進要求を実施するための車両の数、販売促進要求を実施するために必要とされるアクチュエータ（１つまたは複数）、販売促進の実施の時間フレーム、販売促進の実施の場所、コスト範囲、車両のタイプ、およびこれらの類を含むことができる。
【０１１０】
動作Ｓ６０３においては、販売促進要求を実施するための車両の数が、集中型サーバによって識別される。一例においては、販売促進要求を実施するために必要となる車両の数が１より大きい場合に、集中型サーバが、その販売促進要求を、参加しているか、または受諾している販売促進車両によって実施されることになる複数のタスクに自動的に分割することができる。これらの複数のタスクは、互いに関して指定することができ、部分的販売促進の実施および／または実施の場所を指定することができる。
【０１１１】
動作Ｓ６０４においては、販売促進要求を実施するためのアクチュエータが、集中型サーバによって識別される。たとえば、販売促進要求は、販売促進車両が、画像またはビデオを表示するための外部ディスプレイを装備していることを指定することができる。
【０１１２】
動作Ｓ６０５においては、有資格販売促進車両のふるい分けが実施される。一例においては、ふるい分けが集中型サーバにおいて実施される場合に、集中型サーバが、販売促進要求のための考慮から不適格販売促進車両を外すことができる。ふるい分けが販売促進車両において実施される場合に、各販売促進車両は、それが販売促進要求の実施に適格となるか否かを決定することができる。
【０１１３】
動作Ｓ６０６においては、履行の証拠が獲得されることになっているか否かの決定がなされる。その種の証拠がまったく獲得されないことになっている場合には、受諾販売促進車両が、動作Ｓ６０７において販売促進要求の完了時に販売促進要求の完了の表示を送信するべくプログラムされる。
【０１１４】
履行の証拠が獲得されることになっている場合には、適格な証拠収集アクチュエータ（たとえば、カメラ、マイクロフォン、光測定器、生体センサおよびこれらの類）を伴う証拠収集車両またはデバイスの識別が、動作Ｓ６０８においてなされ得る。一例においては、証拠収集車両またはデバイスが、販売促進要求を実施する販売促進車両、販売促進要求の基準範囲内に位置することができる別の車両、無人飛翔デバイス（たとえば、ドローン）、またはこれらの類を含むことができる。
【０１１５】
適格な証拠収集車両またはデバイスが識別された後は、動作Ｓ６０９において、その証拠収集車両またはデバイスを、販売促進要求の完了または履行の表示の受信時に展開するべくプログラムすることができる。
【０１１６】
図７は、この開示の側面に従った、展開のために証拠収集デバイスを識別するための方法を示している。
【０１１７】
動作Ｓ７０１においては、販売促進要求の履行または完了を示す通知を、それぞれの販売促進車両から受信することができる。この通知は、集中型サーバまたは販売促進要求を発したサービス・オファー車両において受信することができる。
【０１１８】
動作Ｓ７０２においては、履行の証拠が収集または取得されることになっているか否かの決定がなされる。一例においては、この決定は、サービス・オファー車両のユーザによってマニュアルでなされ得る。それに代えて、この決定が、集中型サーバまたはサービス・オファー車両によって、販売促進要求の１つまたは複数の属性に基づいて自動的になされ得てもよい。
【０１１９】
履行の証拠が収集されることになっていないと決定されると、動作Ｓ７０８において報酬が決定され、販売促進車両に送信される。一例においては、報酬を、一定の額とすること、または販売促進の実施によって生成されたビジネスもしくは利益の額に基づいて変動する額とすることができる。
【０１２０】
履行の証拠が収集されることになっていると決定された場合には、動作Ｓ７０３において、別々の車両が展開されるべきであるか否かの決定がなされる。動作Ｓ７０３において、別々の車両が展開されることになっていないと決定されると、動作Ｓ７０６において販売促進車両が履行の証拠を収集し、動作Ｓ７０７において、サービス・オファー車両または集中型サーバのいずれかに履行の証拠を送信する。さらに、履行の証拠の送信時に、報酬が決定され、動作Ｓ７０８において販売促進車両に送信される。
【０１２１】
動作Ｓ７０３において、別々の車両が展開されることになっていると決定されると、履行の証拠のために適した証拠収集車両が動作Ｓ７０４において識別される。一例においては、証拠収集車両は、それらに装備されているアクチュエータ、販売促進要求の実施の場所からの距離、移動経路／時間、車両のタイプ、および移動のモードに基づいて識別することができる。証拠収集車両は、限定ではないが、別の販売促進車両、無人飛翔デバイス（たとえば、ドローン）またはこれらの類を含むことができる。しかしながら、この開示の側面がこれらに限定されることはなく、多様な構造物上に取り付けられるか、または据え付けられた安全カメラのシステム等の定置型の証拠収集システムを利用してもよい。
【０１２２】
動作Ｓ７０４における適切な証拠収集車両の識別時に、識別された証拠収集車両のうちの１つまたは複数が、動作Ｓ７０５において展開される。展開された証拠収集車両は、動作Ｓ７０６において履行の証拠を収集し、動作Ｓ７０７において、サービス・オファー車両または集中型サーバのいずれかに履行の証拠を送信する。さらに、履行の証拠の送信時に、報酬が決定され、動作Ｓ７０８において販売促進車両に送信される。
【０１２３】
この開示の側面は、移動サービスを提供するビジネスが、それらのビジネス（サービス、製品）のオファーを、車両の移動距離内の場所であるが、近隣の街路等のそれ自体の販売促進の能力の範囲の外側において、動的に販売促進することを可能にする。さらに、移動サービスを提供するビジネスは、それら自体のサービスまたは製品の販売促進を、サービス・オファー車両の状況（たとえば、使用中、在庫のある製品）、販売促進車両の能力（たとえば、外側スクリーンの利用可能性、望ましい場所への移動の自由）、および場所の状況（たとえば、混雑した街路、良好な天候、交通状況等）にリアルタイムで合わせることができる。
【０１２４】
さらに、この開示のほかの側面によれば、ユーザが、近隣の移動サービスについてのリアルタイム情報を受け取ることを可能にすることができ、かつユーザに、その種のサービスを注文する能力を、販売促進車両を介して提供することができる。それに加えて、広告能力を伴う車両は、それ自体の目的のために広告能力をその車両が使用していないときに、サービス・オファー車両のサービス／製品を販売促進することによって追加収入を稼ぐこと、および有用なデータ、たとえば販売促進に対する反応をほかの車両に収集させることができる。その種の車両は、付加的に、サービス・オファー車両にとって価値のあるものとなり得る特定のブランド販売促進に対するユーザの反応についてのデータを収集することによって追加収入を稼ぐことができる。また、それらの車両は、ユーザの購入が後に続くブランド販売促進に対して稼いだ金銭とすることができる、結果としてもたらされるサービス・オファー車両のための追加収入の分け前を、クリック・スルー・フィーを通じて受け取ることによって追加収入を稼ぐこともできる。
【０１２５】
上記に加えて、この開示の側面によれば、少数の販売促進車両が、特定の場所に対する移動サービスまたはブランドを望ましいシーケンスで販売促進するといった複数車両効果を創出するべく、ブランド販売促進をサービス・オファー車両によって設計することが可能である。
【０１２６】
代替実施態様においては、サービスに関係する情報を、複数のサービス・オファー車両の間において共有することができる。１つの例においては、サービス・オファー車両がタクシーを含み、サービスに関係する情報が、タクシーへの乗車を希望する街路上の人の存在に関する情報を含む。各タクシーは、モバイル・ネットワークのための通信回路、無線ローカル・エリア・ネットワーク等、場所情報獲得デバイス、および乗客発見ボタンを含む。タクシー運転手が、街路上にいるタクシーへの乗車を希望する人、たとえば、手を上げている人を認識するが、その人を乗車させることがそのタクシーに可能でないとき、そのタクシー運転手は、乗客発見ボタンを押す。乗客発見ボタンが押されると、そのタクシーが、通信回路を介して場所情報獲得デバイスによって獲得された場所情報および乗客が発見されたことを示す情報を別のタクシーへ送信する。その情報は、タクシーの間の直接通信を使用して、モバイル・ネットワークまたはインターネットを介して、または沿道の自動販売機等の備品に据え付けられた中継デバイスを介して、送信することができる。
【０１２７】
この開示の多様な側面によれば、多様な恩恵および／または問題に対する解決策に取り組むことができる。たとえば、広告ハイパーリンクの実世界モバイル等価を、クリック・スルー・フィーを含め、創出することができる。さらに、出張ショップ、自律タクシー・サービス等の近隣の移動サービスの可用性に関するユーザへの通信を提供することができる。さらに、移動ビジネスの、販売促進車両を介して近隣の街路／場所までそれらのビジネスを拡張するという能力を提供することができる。また、製品またはサービスを売り込む移動ビジネスを補助するプラットフォームとしてのサードパーティ車両の能力の動的な使用およびマネタイゼーションを提供することもできる。それに加えて、移動ビジネスからユーザによる購入を導いているか、またはそのほかの商業的に関係のあるユーザ・データ（たとえば、販売促進に対するユーザの反応）を導いているサードパーティ車両のアクションを追跡することができる。
【０１２８】
コンピュータ可読媒体は、単一の媒体として示されているが、この用語『コンピュータ可読媒体』は、集中型または分散型のデータベース等の単一の媒体または複数の媒体、および／または１または複数セットのインストラクションをストアしている関連付けされたキャッシュおよびサーバを含む。用語『コンピュータ可読媒体』は、また、プロセッサによる実行のため、または、コンピュータ・システムに、この中に開示されている方法または動作のうちの任意の１つまたは複数を実施させるインストラクションのセットをストアし、エンコードし、または担持する能力のある任意の媒体も含むものとする。
【０１２９】
特定の非限定的かつ例示的な実施態様においては、コンピュータ可読媒体に、メモリ・カードまたはそのほかの、１つまたは複数の不揮発性読出し専用メモリを収容するパッケージ等のソリッド・ステート・メモリを含めることが可能である。さらに、コンピュータ可読媒体を、ランダム・アクセス・メモリまたはそのほかの揮発性再書き込み可能メモリとすることが可能である。それに加えて、コンピュータ可読媒体は、ディスク等の光磁気もしくは光媒体、またはテープ、またはそのほかの、伝送媒体経由で通信される信号等の搬送波信号を取り込むストレージ・デバイスを含むことが可能である。したがって、この開示は、データまたはインストラクションをストアすることができる任意のコンピュータ可読媒体またはそのほかの均等物および後継の媒体を含むと見做される。
【０１３０】
この明細書は、特定の実施態様において実装され得る構成要素および機能を、特定の標準およびプロトコルを参照して記述しているが、開示がその種の標準およびプロトコルに限定されることはない。
【０１３１】
この中で述べられている実施態様の例解は、多様な実施態様の構造の概括的な理解を提供することが意図されている。これらの例解に、この中に述べられている開示の要素および特徴のすべての完全な記述としての働きを提供することは意図されていない。この開示を検討すれば、このほかの多くの実施態様がこの分野における当業者に明らかになるであろう。この開示の範囲からの逸脱なしに構造的および論理的な代用および変更がなされ得るというように、この開示からこのほかの実施態様を利用し、導出することはできる。それに加えて、これらの例解は、単なる表現的なものであり、縮尺に忠実に描かれている訳ではない。図中においては、特定の比率が誇張されることがあり、その一方、そのほかの比率が極小化されることがある。したがって、この開示および図面は、限定ではなく、むしろ例証的なものとして考えられるものとする。
【０１３２】
この開示の１つまたは複数の実施態様は、個別に、および／または集合的に、単に便宜上、かつこの出願の範囲をいずれかの特定の発明または発明概念に対して自発的に限定する意図ではなく、ここでは『発明』という用語を用いて呼ぶことができる。それに加えて、具体的な実施態様がこの中で例解され、かつ説明されてきたが、同一または類似の目的を達成するべく設計される、この後の任意のアレンジメントが、示されている具体的な実施態様のために代用され得ることは認識されるものとする。この開示には、多様な実施態様の、この後のすべての適応または変形を保護することが意図されている。上記の実施態様の組み合わせ、およびこの中で具体的に記述していないそのほかの実施態様は、この記述を検討したときにこの分野における当業者には明らかなものとなるであろう。
【０１３３】
上で述べたとおり、この開示の側面によれば、少なくとも２つの車両の間において製品またはサービスの調和の取れた販売促進を実行し、その後、販売促進に対する応答におけるユーザの関心のアクションの証拠を収集する（歩行者の注意を測定する、ジェスチャ信号を検出する）システムが提供される。
【０１３４】
この開示の別の側面によれば、少なくとも２つの車両の間において製品またはサービスの調和の取れた販売促進を実行し、その後、販売促進に対する応答におけるユーザの関心のアクションの証拠を収集する（歩行者の注意を測定する、ジェスチャ信号を検出する）方法が提供される。
【０１３５】
この開示の側面によれば、ノーマディック移動サービス車両をサポートするための方法が提供される。その方法は、第１の車両によってサーバへ、販売促進要求であって、第１の車両の場所を指定する販売促進要求を送信することと、１つまたは複数の第２の車両によって、第１の車両の場所の基準距離内における環境の環境属性を取得し、かつサーバへ送信することと、サーバによって、販売促進要求内に指定されている条件を抽出することと、サーバによって第３の車両へ、販売促進要求を、履行のために送信することと、サーバによって、販売促進要求内に指定されている条件に基づいて、販売促進要求の距離範囲を決定することと、第３の車両によって、その距離範囲内における販売促進経路を決定することと、第３の車両によって、販売促進経路に沿った移動の間に販売促進動作を実行することと、を含む。
【０１３６】
この開示の別の側面によれば、方法が、さらに、サーバによって、販売促進要求内に指定されている条件および第３の車両の１つまたは複数の属性に基づいて、販売促進要求とサーバに登録されている複数の第３の車両とのマッチングを行うことと、サーバによって整合した第３の車両へ、販売促進要求を、受諾のために送信することと、販売促進要求を受信している第３の車両のうちの少なくとも１つから、その販売促進要求の履行の受諾を受信することと、サーバによって、受諾している第３の車両の中から、販売促進動作の実行のための第３の車両を選択することと、を含む。
【０１３７】
この開示の別の側面によれば、販売促進動作が、第３の車両上に備えられた１つまたは複数のアクチュエータを使用して実行される。
【０１３８】
この開示のまた別の側面によれば、１つまたは複数のアクチュエータが、外部ディスプレイ、ヘッドライト、ドア、ウインドウ、スポイラ、およびオーディオ・システムのうちの少なくとも１つを含む。
【０１３９】
この開示のさらに別の側面によれば、条件が、少なくとも、販売促進動作を実行しているときの第３の車両の移動速度を指定する。
【０１４０】
この開示の別の側面によれば、販売促進経路が、１つまたは複数の環境属性に基づいて決定される。
【０１４１】
この開示の別の側面によれば、販売促進経路が、その販売促進経路に沿った一時的な停車を含む。
【０１４２】
この開示のまた別の側面によれば、一時的な停車が、基準値を超える人々の数を有するとして販売促進経路に沿って検出された場所に対応する。
【０１４３】
この開示のさらに別の側面によれば、一時的な停車の持続期間が、人々の反応であって、第３の車両へ向けられた視線方向を含む反応に基づく。
【０１４４】
この開示のさらなる側面によれば、１つまたは複数の環境属性が、人々の数／密度、交通レベルまたは混雑のレベル、ほかの移動サービスの数、イベントの存在、またはほかの車両の数を含む。
【０１４５】
この開示の別の側面によれば、この方法が、さらに、販売促進経路に沿って第３の車両が移動する間における第１の車両の移動を決定することと、第１の車両の新しく意図される場所を決定することと、新しく意図される場所までの第１の車両の移動経路を決定することと、第３の車両によって、販売促進経路を第１の車両の移動経路に関して修正することと、第３の車両によって、販売促進動作を実行しつつ、修正後の販売促進経路に沿って移動することと、を含む。
【０１４６】
この開示の別の側面によれば、第３の車両の修正後の販売促進経路と、第１の車両の移動経路が同じである。
【０１４７】
この開示のまた別の側面によれば、第３の車両の修正後の販売促進経路と、第１の車両の移動経路が異なる。
【０１４８】
この開示のさらに別の側面によれば、販売促進動作が、第１の車両の場所を示す。
【０１４９】
この開示の別の側面によれば、この方法が、さらに、第３の車両から、販売促進動作の完了の通知を受信することと、サーバによって、履行の証拠が収集されることになっているか否かを決定することと、履行の証拠が収集されることになっていると決定された場合には、サーバによって、履行の証拠を収集するべく構成されたアクチュエータが装備された証拠収集車両を識別することと、サーバによって、履行の証拠の収集のための証拠収集車両を展開することと、を含む。
【０１５０】
この開示の別の側面によれば、証拠収集車両は、第３の車両である。
【０１５１】
この開示のまた別の側面によれば、証拠収集車両は、無人飛翔デバイスである。
【０１５２】
この開示のさらに別の側面によれば、この方法が、サーバによって、履行の証拠が容認可能であるか否かを決定することと、履行の証拠が容認可能であると決定されたとき、サーバによって第３の車両のための報酬を決定することと、第３の車両へ、決定された報酬を送信することと、を含む。
【０１５３】
この開示の別の側面によれば、非一過性のコンピュータ可読ストレージ媒体がコンピュータ・プログラムをストアしており、当該コンピュータ・プログラムは、プロセッサによる実行時に、ノーマディック移動サービス車両をサポートするためのプロセスをコンピュータ装置に実施させる。そのプロセスは、第１の車両によってサーバへ、販売促進要求であって、第１の車両の場所を指定する販売促進要求を送信することと、１つまたは複数の第２の車両によって、第１の車両の場所の基準距離内における環境の環境属性を取得し、かつサーバへ送信することと、サーバによって、販売促進要求内に指定されている条件を抽出することと、サーバによって第３の車両へ、販売促進要求を、履行のために送信することと、サーバによって、販売促進要求内に指定されている条件に基づいて、販売促進要求の距離範囲を決定することと、第３の車両によって、その距離範囲内における販売促進経路を決定することと、第３の車両によって、販売促進経路に沿った移動の間に販売促進動作を実行することと、を含む。
【０１５４】
この開示のまた別の側面によれば、ノーマディック移動サービス車両をサポートするためのコンピュータ装置が提供される。そのコンピュータ装置は、インストラクションをストアしているメモリ、およびそれらのインストラクションを実行するプロセッサを含み、それにおいて、インストラクションは、それがプロセッサによって実行されたとき、動作のセットをプロセッサに実施させる。その動作のセットは、第１の車両によってサーバへ、販売促進要求であって、第１の車両の場所を指定する販売促進要求を送信することと、１つまたは複数の第２の車両によって、第１の車両の場所の基準距離内における環境の環境属性を取得し、かつサーバへ送信することと、サーバによって、販売促進要求内に指定されている条件を抽出することと、サーバによって第３の車両へ、販売促進要求を、履行のために送信することと、サーバによって、販売促進要求内に指定されている条件に基づいて、販売促進要求の距離範囲を決定することと、第３の車両によって、その距離範囲内における販売促進経路を決定することと、第３の車両によって、販売促進経路に沿った移動の間に販売促進動作を実行することと、を含む。
【０１５５】
開示の要約は、それが特許請求の範囲または意味であるとの解釈または限定に使用されることがないとの理解の下に提出される。それに加えて、以上の詳細な説明において、開示を合理化する目的のために多様な特徴がまとめてグループ化されること、または単一の実施態様内において記述されることがある。この開示は、請求されている実施態様が、各請求項の中において明示的に列挙されているよりも多くの特徴を必要とする意図を反映しているとして解釈されないものとする。むしろ、以下の請求項が反映しているとおり、発明の要旨は、開示された実施態様のうちのいずれかのすべての特徴より少ないものに指向されているとすることができる。したがって、以下の請求項は、詳細な説明の中に組み込まれ、各請求項は、別々に請求されている発明の要旨を定義するものとしてそれ自体で成立する。
【０１５６】
開示された実施態様の先行する記述は、この分野における当業者がこの開示を作成し、または使用することを可能にするために提供されている。それ故、上に開示されている要旨は、限定ではなく、例証的であると見做されるものとし、付随する特許請求の範囲には、この開示の真の精神および範囲内に含まれるその種のすべての修正、強化、およびそのほかの実施態様を保護することが意図されている。したがって、法によって許される最大の範囲まで、この開示の範囲が、以下の特許請求の範囲およびそれらの均等物のもっとも広い許可可能な解釈によって決定されるものとし、以上の詳細な説明によって制限されるか、または限定されるべきではない。
【０１５７】
この出願は、２０１８年９月２４日に提出された米国仮特許出願第６２／７３５，２７２号の恩典を主張する。上に識別されている出願のすべての開示は、明細書、図面、および／または特許請求の範囲を含めて、参照によりその全体がこれに援用される。
【符号の説明】
【０１５８】
１００  システム
１０２  コンピュータ・システム
１０４  プロセッサ
１０６  コンピュータ・メモリ
１０８  ビデオ・ディスプレイ
１１０  入力デバイス
１１２  媒体リーダ
１１４  ネットワーク・インターフェース
１１６  出力デバイス
１１８  バス
１２０  追加のコンピュータ・デバイス、コンピュータ・デバイス
１２２  ネットワーク
２５０  通信ネットワーク
３１０  サービス・オファー車両
３１１  プロセッサ
３１２  通信回路
３１３  支払いユーザ・インターフェース（ＵＩ）
３２０  販売促進車両
３２１  ブランド販売促進実行システム
３２２  環境評価システム
３２３  ユーザ評価システム
３２４  プロセッサ
３２５  通信回路
３３０  中央プラットフォーム・サーバ
３３１  販売促進要求データベース
３３２  販売促進評価アルゴリズム
３３３  証拠データセット評価アルゴリズム
３３４  顧客インタラクションの証拠評価アルゴリズム
３３５  プロセッサ
３３６  通信回路
３４０  証拠収集デバイス
３４１  プロセッサ
３４２  通信システム
３４３  カメラ
３５０  ネットワーク
２１０（１）−２１０（Ｎ）  サービス・オファー車両
２２０（１）−２２０（Ｎ）  販売促進車両
２３０（１）−２３０（Ｎ）  サーバ・デバイス
２４０（１）−２４０（Ｎ）  証拠収集デバイス／車両、証拠収集車両
【図１】
2021527866.tif 000003
【図２】
2021527866.tif 000004
【図３】
2021527866.tif 000005
【図４Ａ】
2021527866.tif 000006
【図４Ｂ】
2021527866.tif 000007
【図５】
2021527866.tif 000008
【図６】
2021527866.tif 000009
【図７】
2021527866.tif 000010
【国際調査報告】
2021527866.tif 000011
2021527866.tif 000012
2021527866.tif 000013